(57)【要約】      （修正有）【課題】結束バンドの巻き付け位置が変位することを防止することができるとともに、被結束物における外周面の所定位置に巻き付け固定することができる結束バンドを提供する。【解決手段】結束バンド１０Ａは、ワイヤハーネスの外周面に巻き付けられるバンド部２０と、バンド部２０の長手方向Ｌの基端に連設され、バンド部２０を挿通方向Ｎに挿通し固定する挿通孔３１を有するバンド固定部３０Ａとを備えている。バンド固定部３０Ａは、バンド部２０の長手方向Ｌの基端に対してバンド部２０の長手方向Ｌと交差する方向に所定距離ずらして配置している。【選択図】図１
2017067285.tif 000002
【特許請求の範囲】
【請求項１】
被結束物の外周面に巻き付けられるバンド部と、該バンド部の長手方向の基端に連設され、該バンド部を一方向に挿通し固定する挿通孔を有するバンド固定部とが備えられた結束バンドであって、
前記バンド固定部が、
前記バンド部の長手方向の基端に対して、該バンド部の長手方向と交差する方向に所定距離ずらして配置された
結束バンド。
【請求項２】
前記バンド固定部が第１バンド固定部であり、
前記バンド部の長手方向の基端に対して直列に配置された前記第１バンド固定部と同一構造の第２バンド固定部が備えられた
請求項１に記載の結束バンド。
【請求項３】
前記第１バンド固定部と前記第２バンド固定部とが、
前記バンド部の長手方向に対して互い違いとなるように配置された
請求項２に記載の結束バンド。
【請求項４】
前記第１バンド固定部と前記第２バンド固定部のうち一方のバンド固定部が、
他方のバンド固定部に対して前記バンド部を前記挿通孔に挿通する挿通方向が逆向きとなるように配置された
請求項２又は３に記載の結束バンド。
【請求項５】
前記バンド部が固定された本体部と、所望する箇所に差し込み固定される差込み部とを有するバンド止め具が備えられた
請求項１〜４のいずれか一つに記載の結束バンド。
【請求項６】
被結束物の外周面に巻き付けられるバンド部と、該バンド部の長手方向の基端に連設され、該バンド部を一方向に挿通し固定する挿通孔を有するバンド固定部とが備えられた結束バンドであって、
前記バンド固定部が、
前記バンド部の長手方向の基端から所定距離を隔てて配置された第１バンド固定部と、
前記バンド部の長手方向の基端に設けられた第２バンド固定部とで構成され、
前記第１バンド固定部と前記第２バンド固定部とが可撓性を有する連結部で連結された
結束バンド。
【請求項７】
前記第１バンド固定部が、
前記バンド部の長手方向の基端に対して直列に配置された
請求項６に記載の結束バンド。
【請求項８】
前記第１バンド固定部が、
前記バンド部の長手方向の基端に対して、前記バンド部の長手方向と交差する方向に所定距離ずらして配置された
請求項６に記載の結束バンド。
【請求項９】
前記連結部の長手方向の長さが、
前記第２バンド固定部の高さより長く形成された
請求項６〜８のいずれか一つに記載の結束バンド。
【請求項１０】
前記連結部の長手方向の長さが、
前記第２バンド固定部の幅より長く形成された
請求項６〜９のいずれか一つに記載の結束バンド。
【発明の詳細な説明】
【技術分野】
【０００１】
この発明は、例えば電線等の被結束物を束ねる際に用いられる結束バンドに関する。
【背景技術】
【０００２】
一般的に、電線やロープなどを束ねる際に、結束バンドが用いられている。また、自動車に配索されるワイヤハーネスは、該ワイヤハーネスに巻き付けられた結束バンドによって、車体パネルや車体フレームに固定されることがある。  
従来、上述の結束バンドとしては、ワイヤハーネスの外周面に巻き付けられるバンド部と、該バンド部の長手方向の基端に連設され、該バンド部を一方向に挿通し固定する挿通孔を有するバンド固定部とを備えた結束バンドが提案されている（特許文献１参照）。  
特許文献１の結束バンドは、ワイヤハーネスの外周面に巻き付けられたバンド部を、バンド固定部の挿通孔に対して一方向から挿通し、該挿通孔内に設けた係止片を、バンド部の片面に形成した係止部に係止して固定することにより、結束バンドをワイヤハーネスの外周面に対して巻き付け固定する。
【０００３】
しかし、上述の結束バンドは、バンド固定部が、バンド部の長手方向の基端に対して直列に連設されているため、バンド部をワイヤハーネスの外周面に対して複数回巻き付けようとすると、バンド部をバンド固定部に巻き重ねるか、バンド部同士を巻き重ねることになるため、バンド部の長手方向に捩れが生じやすく、バンド部をワイヤハーネスの外周面に対して密着した状態に巻き付けることが難しい。また、バンド部における巻き付け側の片面と、ワイヤハーネスの外周面との間に大きな隙間が生じやすく、ワイヤハーネスを十分に締めつけることが難しくなる。  
このため、結束バンドの巻き付け位置が、ワイヤハーネスの周方向や長手方向に変位しやすく、ワイヤハーネスにおける長手方向の所定位置に巻き付け固定することが困難である。
【先行技術文献】
【特許文献】
【０００４】
【特許文献１】特開２０１３−２５５２９５号公報
【発明の概要】
【発明が解決しようとする課題】
【０００５】
この発明は、結束バンドの巻き付け位置が変位することを防止することができるとともに、被結束物における長手方向の所定位置に巻き付け固定することができる結束バンドを提供することを目的とする。
【課題を解決するための手段】
【０００６】
この発明は、被結束物の外周面に巻き付けられるバンド部と、該バンド部の長手方向の基端に連設され、該バンド部を一方向に挿通し固定する挿通孔を有するバンド固定部とが備えられた結束バンドであって、前記バンド固定部が、前記バンド部の長手方向の基端に対して、該バンド部の長手方向と交差する方向に所定距離ずらして配置された結束バンドであることを特徴とする。
【０００７】
上記被結束物は、例えばワイヤハーネス等の被覆電線で構成することができる。また、交差する方向は、例えばバンド部の長手方向に対して斜めに交差する方向や、該長手方向に対して直交する方向等を含む概念である。
【０００８】
この発明によれば、結束バンドの巻き付け位置が変位することを防止することができるとともに、結束バンドを被結束物における長手方向の所定位置に巻き付け固定することができる。  
詳しくは、結束バンドのバンド部を被結束物の外周面に対して複数回巻き付ける際に、バンド部の基端側を被結束物の外周面に押し付けた後、バンド部を被結束物の外周面に沿って周方向に巻き付ける。
【０００９】
続いて、バンド部における二巻目の部分を、バンド固定部に対して所定距離ずらして被結束物の外周面に沿って周方向に巻き付けるとともに、先に巻き付けられた一巻目の部分に沿って周方向に巻き付けた後、該バンド部を先端側からバンド固定部の挿通孔に挿通して固定する。
【００１０】
つまり、バンド固定部が、バンド部の長手方向の基端に対して該バンド部の長手方向と交差する方向に所定距離ずらして配置されているため、バンド部をバンド固定部に巻き重ねるか、バンド部同士を巻き重ねることなく、バンド部における一巻目、及び二巻目の部分を、被結束物の外周面に沿って周方向にそれぞれ巻き付けることができる。
【００１１】
これにより、バンド部の長手方向に捩れが生じにくく、バンド部を被結束物の外周面に対して密着させた状態に巻き付けることができるため、結束バンドを、被結束物の外周面に対して巻き付けた状態を維持するのに必要な接触抵抗が安定して得られるとともに、該被結束物を十分に締めつけることができる。  
この結果、被結束物に巻き付けられたバンド部に緩みが生じにくく、結束バンドの巻き付け位置が被結束物の周方向や長手方向に変位することを防止することができる。
【００１２】
この発明の態様として、前記バンド固定部が第１バンド固定部であり、前記バンド部の長手方向の基端に対して直列に配置された前記第１バンド固定部と同一構造の第２バンド固定部が備えられる。
【００１３】
上記直列とは、例えばバンド部における幅方向の中央部を通る軸線上の位置、あるいは、該軸線に対して幅方向に僅かにシフトした位置等を含む概念である。  
この発明によれば、結束バンドの巻き付け位置が変位することを確実に防止することができるとともに、結束バンドを被結束物における長手方向の所定位置に確実に巻き付け固定することができる。
【００１４】
詳しくは、結束バンドのバンド部を被結束物の外周面に対して複数回巻き付ける際に、バンド部の基端側を被結束物の外周面に押し付けた後、バンド部を被結束物の外周面に沿って周方向に巻き付けるとともに、該バンド部を先端側から第２バンド固定部の挿通孔に挿通して固定する。
【００１５】
続いて、第２バンド固定部の挿通孔に挿通したバンド部を、第１バンド固定部に対して所定距離ずらして被結束物の外周面に沿って周方向に巻き付けるとともに、バンド部における二巻目の部分を、先に巻き付けられた一巻目の部分に沿って周方向に巻き付けた後、該バンド部を先端側から第１バンド固定部の挿通孔に挿通して固定する。
【００１６】
つまり、第１バンド固定部が、バンド部の長手方向の基端に設けられた第２バンド固定部に対して、バンド部の長手方向と交差する方向に所定距離ずらして配置されているため、バンド部を第１バンド固定部に巻き重ねるか、バンド部同士を巻き重ねることなく、バンド部における一巻目、及び二巻目の部分を、被結束物の外周面に沿って周方向にそれぞれ巻き付けることができる。
【００１７】
これにより、バンド部の長手方向に捩れが生じにくく、該バンド部における一巻目、及び二巻目の部分を、被結束物の外周面に対して密着させた状態にそれぞれ巻き付けることができるため、結束バンドを、被結束物の外周面に対して巻き付けた状態を維持するのに必要な接触抵抗がより安定して得られるとともに、該被結束物を十分に締めつけることができる。
【００１８】
この結果、被結束物に巻き付けられたバンド部に緩みが生じにくく、結束バンドの巻き付け位置が被結束物の周方向や長手方向に変位することを確実に防止することができる。  
しかも、バンド部における一巻目、及び二巻目の部分を、第１バンド固定部と第２バンド固定部の挿通孔に挿通して固定するため、該バンド部における一巻目、及び二巻目の部分を、被結束物に巻き付けられた所定位置にてそれぞれ確実に巻き付け固定することができる。
【００１９】
また、上述の結束バンドは、例えば２本の被結束物を１つに束ねた状態に結束する際にも用いることができる。  
詳述すると、バンド部の基端側を被結束物の外周面に押し付けた後、バンド部を１本目の被結束物の外周面に沿って周方向に巻き付けるとともに、該バンド部を先端側から第２バンド固定部の挿通孔に挿通して固定する。
【００２０】
続いて、第２バンド固定部の挿通孔に挿通したバンド部を、第１バンド固定部に対して所定距離ずらして被結束物の外周面に沿って周方向に巻き付けるとともに、バンド部における二巻目の部分を、先に巻き付けられた一巻目の部分に沿って周方向に巻き付ける。
【００２１】
２本目の被結束物を、１本目の被結束物に沿わせて配置した後、１本目の被結束物に巻き付けられたバンド部を、２本目の被結束物の外周面に対して周方向に掛け渡すように巻き付けるとともに、該バンド部を先端側から第１バンド固定部の挿通孔に挿通して固定する。
【００２２】
つまり、第１バンド固定部が、第２バンド固定部に対してバンド部の長手方向と交差する方向に所定距離ずらして配置されているため、バンド部を第１バンド固定部に巻き重ねるか、バンド部同士を巻き重ねることなく、バンド部を２本の被結束物の外周面に対して周方向にそれぞれ巻き付けることができる。
【００２３】
これにより、バンド部の長手方向に捩れが生じにくく、該バンド部を２本の被結束物の外周面に対して密着させた状態にそれぞれ巻き付けることができるとともに、各被結束物における長手方向の所定位置に対して確実に巻き付け固定することができる。  
この結果、１本の結束バンドを用いて、複数の被結束物を１つに束ねた状態に結束することができる。
【００２４】
しかも、バンド部を２本の被結束物の外周面に対してそれぞれ巻き付けた状態において、第１バンド固定部、及び第２バンド固定部の挿通孔にそれぞれ挿通して固定するため、バンド部を各被結束物に巻き付けられた所定位置にてそれぞれ確実に巻き付け固定することができる。  
このため、各被結束物に巻き付けられたバンド部に緩みが生じにくく、結束バンドの巻き付け位置が被結束物の周方向や長手方向に変位することをより確実に防止することができる。
【００２５】
またこの発明の態様として、前記第１バンド固定部と前記第２バンド固定部とが、前記バンド部の長手方向に対して互い違いとなるように配置される。  
この発明によれば、結束バンドを、被結束物における長手方向の所定位置に容易に巻き付け固定することができる。
【００２６】
詳しくは、例えば結束バンドにおけるバンド部の基端に連設した第１バンド固定部、及び第２バンド固定部の挿通孔の挿通方向が同一の場合、被結束物に巻き付けられたバンド部を、第２バンド固定部の挿通孔に挿通して巻き付け固定した際、バンド部の巻き付け力により、第１バンド固定部、及び第２バンド固定部が被結束物の外周面に対して押し付けられる。
【００２７】
その際、第１バンド固定部、及び第２バンド固定部の挿通孔の挿通始端側が被結束物の外周面と対向する状態に巻き付けられるため、被結束物に巻き付けられたバンド部を、第１バンド固定部の挿通孔に対して挿通始端側から挿通することが難しく、バンド部を被結束物における長手方向の所定位置に巻き付け固定することが困難である。また、バンド部を挿通する際に、結束バンドの巻き付け位置が被結束物の周方向や長手方向に変位しやすい。
【００２８】
これに対して、本発明の結束バンドは、第１バンド固定部と第２バンド固定部が、バンド部の長手方向に対して互い違いとなるように配置されているため、各バンド固定部の挿通孔の挿通始端側が被結束物の外周面と対向する状態に巻き付けられていても、第１バンド固定部を被結束物の外周面から離間される方向に変位させて、挿通孔の挿通始端側を被結束物の外周面に対して対向が回避される方向に向けることができる。
【００２９】
これにより、結束バンドを被結束物に巻き付ける際に、該結束バンドの巻き付け位置を変位させることなく、バンド部を、第１バンド固定部の挿通孔に対して挿通始端側から容易に挿通することができる。  
この結果、結束バンドを、被結束物における外周面の所定位置により正確に巻き付け固定することができる。
【００３０】
またこの発明の態様として、前記第１バンド固定部と前記第２バンド固定部のうち一方のバンド固定部が、他方のバンド固定部に対して前記バンド部を前記挿通孔に挿通する挿通方向が逆向きとなるように配置される。
【００３１】
この発明によれば、結束バンドを、被結束物における外周面の所定位置により容易に巻き付け固定することができる。  
詳しくは、例えば結束バンドにおけるバンド部の基端に連設した第１バンド固定部、及び第２バンド固定部の挿通孔の挿通方向が同一の場合、被結束物に巻き付けられたバンド部を、第２バンド固定部の挿通孔に挿通して巻き付け固定した際に、バンド部の巻き付け力により、第１バンド固定部、及び第２バンド固定部が被結束物の外周面に対して押し付けられる。
【００３２】
その際、第１バンド固定部、及び第２バンド固定部の挿通孔の挿通始端側が被結束物の外周面と対向する状態に巻き付けられるため、被結束物に巻き付けられたバンド部を、第１バンド固定部の挿通孔に対して挿通始端側から挿通するには、被結束物の外周面と対向する側に回り込んで挿通しなければならず、スムースに挿通することが困難である。また、バンド部を挿通する際に、結束バンドの巻き付け位置が被結束物の周方向や長手方向に変位しやすい。
【００３３】
これに対して、本発明の結束バンドは、第１バンド固定部と第２バンド固定部のうち一方のバンド固定部が、他方のバンド固定部に対してバンド部を挿通孔に挿通する挿通方向が逆向きとなるように配置されているため、他方のバンド固定部の挿通孔の挿通始端側が被結束物の外周面と対向する状態に巻き付けられていても、被結束物に巻き付けられたバンド部を、一方のバンド固定部の挿通孔に対して被結束物の外周面と対向しない逆方向から挿通することができる。
【００３４】
これにより、結束バンドのバンド部を、バンド固定部の挿通孔に対して被結束物の外周面と対向する側に回り込んで挿通するよりも、該バンド固定部の挿通孔に対して被結束物の外周面と対向しない逆方向から挿通する方がよりスムースに挿通することができる。
【００３５】
この結果、結束バンドを被結束物に巻き付ける際に、該結束バンドの巻き付け位置が変位することをより確実に防止することができるとともに、結束バンドを被結束物における外周面の所定位置により正確に巻き付け固定することができる。
【００３６】
しかも、複数の被結束物を１つに束ねた状態に結束する際に、結束バンドのバンド部を、並列に配置した２本の被結束物の外周面に対して掛け渡すように巻き付けなくても、２本の被結束物に対して略８字状に巻き付けることができる。
【００３７】
このため、結束バンドのバンド部を、２本の被結束物の外周面に対して掛け渡すように巻き付けるよりも、バンド部を各被結束物の外周面に対して密着させた状態にそれぞれ確実に巻き付けることができるため、各被結束物における長手方向の所定位置に対してより確実に巻き付け固定することができる。
【００３８】
またこの発明の態様として、前記バンド部が固定された本体部と、所望する箇所に差し込み固定される差込み部とを有するバンド止め具が備えられる。  
この発明によれば、バンド止め具を介して、被結束物に巻き付けられた結束バンドを所望する箇所に固定することができるため、例えばワイヤハーネス等の被結束物を、所望する箇所の一例である自動車の車体パネルや車体フレーム等に対してより確実に固定することができる。
【００３９】
またこの発明は、被結束物の外周面に巻き付けられるバンド部と、該バンド部の長手方向の基端に連設され、該バンド部を一方向に挿通し固定する挿通孔を有するバンド固定部とが備えられた結束バンドであって、前記バンド固定部が、前記バンド部の長手方向の基端から所定距離を隔てて配置された第１バンド固定部と、前記バンド部の長手方向の基端に設けられた第２バンド固定部とで構成され、前記第１バンド固定部と前記第２バンド固定部とが可撓性を有する連結部で連結されたことを特徴とする。
【００４０】
この発明によれば、結束バンドの巻き付け位置が変位することを防止できるとともに、結束バンドを被結束物における長手方向の所定位置に巻き付け固定することができる。  
詳しくは、例えば結束バンドにおけるバンド部の基端に設けられた第２バンド固定部に対して第１バンド固定部が一体に連設されている場合、一巻目のバンド部を第２バンド固定部の挿通孔に挿通し固定した際に、一巻目のバンド部の巻き付け力によって、第１バンド固定部が被結束物の外周面に押し付けられるため、二巻目のバンド部を第１バンド固定部の挿通孔に対して挿通始端側から挿通することが難しい。
【００４１】
例えば第１バンド固定部を被結束物の外周面から離間させると、二巻目のバンド部を第１バンド固定部の挿通孔に対して挿通始端側から挿通することができるが、第１バンド固定部と一緒に一巻目のバンド部が被結束物の外周面から離間されてしまうため、一巻目のバンド部に緩みが生じやすく、結束バンドを被結束物における長手方向の所定位置に巻き付け固定することが困難である。
【００４２】
これに対して、本発明の結束バンドは、第１バンド固定部と第２バンド固定部とを所定間隔に隔てたまま可撓性を有する連結部で連結しているため、第２ハンド固定部に当接、あるいは、接触することなく、第１バンド固定部を被結束物の外周面から離間される方向に向けて容易に変位させることができる。  
これにより、第１バンド固定部を被結束物の外周面から離間させるとともに、挿通孔の挿通始端側を被結束物の外周面に対して対向が回避される方向に向けることができる。
【００４３】
この結果、被結束物に巻き付けられたバンド部を、第１バンド固定部の挿通孔に対して挿通始端側からスムースに挿通することができる。  
しかも、バンド部を第１バンド固定部の挿通孔に挿通する際に、バンド部に緩みが生じたり、結束バンドの巻き付け位置が変位したりすることを防止できるため、結束バンドを被結束物における長手方向の所定位置に対して確実に巻き付け固定することができる。
【００４４】
さらに、被結束物に巻き付けられたバンド部を、第１バンド固定部、及び第２バンド固定部の挿通孔に挿通して固定するため、バンド部に緩みが生じにくく、被結束物に巻き付けられた所定位置にてそれぞれ巻き付け固定することができる。
【００４５】
またこの発明の態様として、前記第１バンド固定部を、前記バンド部の長手方向の基端に対して直列に配置することができる。  
この発明によれば、結束バンドの巻き付け位置が変位することを確実に防止できるとともに、結束バンドを被結束物における長手方向の所定位置に対して確実に巻き付け固定することができる。
【００４６】
詳しくは、被結束物に巻き付けられた一巻目のバンド部を第２バンド固定部の挿通孔に挿通して固定した後、第２バンド固定部の挿通孔から引き出した二巻目のバンド部を、先に巻き付けられた一巻目のバンド部に巻き重ねながら被結束物の外周面に沿って周方向に巻き付けるとともに、第１バンド固定部の挿通孔に挿通して固定する。
【００４７】
つまり、二巻目のバンド部の巻き付け力によって、一巻目のバンド部が被結束物の外周面に対してさらに強く巻き付けられるため、一巻目のバンド部を被結束物の外周面に対してより密着させた状態に巻き付けることができる。
【００４８】
これにより、結束バンドを、被結束物における長手方向の所定位置に対して巻き付けた状態を維持するのに必要な接触抵抗が安定して得られるとともに、被結束物を十分に締めつけることができる。  
この結果、被結束物を結束バンドにより巻き締めすることができるとともに、結束バンドを被結束物における長手方向の所定位置に対して確実に巻き付け固定することができる。
【００４９】
しかも、第１バンド固定部の挿通孔から引き出したバンド部を挿通方向に引っ張って締め込むほど、一巻目のバンド部が被結束物の外周面に対してさらに強く巻き付けられるため、バンド部に緩みが生じたり、結束バンドの巻き付け位置が変位したりすることを確実に防止できる。
【００５０】
またこの発明の態様として、前記第１バンド固定部を、前記バンド部の長手方向の基端に対して、前記バンド部の長手方向と交差する方向に所定距離ずらして配置することができる。
【００５１】
この発明によれば、結束バンドの巻き付け位置が変位することをより確実に防止できるとともに、結束バンドが被結束物における長手方向の所定位置に巻き付けられた状態をより確実に保つことができる。
【００５２】
詳しくは、被結束物に巻き付けられた一巻目のバンド部を第２バンド固定部の挿通孔に挿通して固定した後、第２バンド固定部の挿通孔から引き出したバンド部を、第１バンド固定部に対して所定距離ずらして被結束物の外周面に沿って周方向に巻き付けるとともに、バンド固定部同士を連結する連結部に巻き重ねる。
【００５３】
連結部に巻き重ねられた二巻目のバンド部を、先に巻き付けられた一巻目のバンド部に対して長手方向と交差する方向に所定距離ずらして、一巻目のバンド部に沿って周方向に巻き付けるとともに、二巻目のバンド部を第１バンド固定部の挿通孔に挿通して固定する。
【００５４】
つまり、第１バンド固定部を、バンド部の長手方向の基端に対してバンド部の長手方向と交差する方向に所定距離ずらして配置しているため、バンド部を第１バンド固定部に巻き重ねるか、バンド部同士を巻き重ねることなく、一巻目、二巻目のバンド部を、被結束物の外周面に沿って周方向にそれぞれ巻き付けることができる。
【００５５】
これにより、バンド部の長手方向に捩れが生じにくく、一巻目、二巻目のバンド部を被結束物の外周面に対して密着させた状態にそれぞれ巻き付けることができるため、結束バンドを、被結束物における長手方向の所定位置に対して巻き付けた状態を維持するのに必要な接触抵抗がより安定して得られるとともに、被結束物を十分に締めつけることができる。
【００５６】
この結果、被結束物を結束バンドにより確実に巻き締めすることができるとともに、結束バンドが被結束物における長手方向の所定位置に対してより確実に巻き付け固定することができる。
【００５７】
しかも、第１バンド固定部の挿通孔から引き出したバンド部を挿通方向に引っ張って締め込むほど、一巻目、二巻目のバンド部が被結束物の外周面に対してさらに強く巻き付けられるため、バンド部に緩みが生じたり、結束バンドの巻き付け位置が変位したりすることをより確実に防止できる。
【００５８】
またこの発明の態様として、前記連結部の長手方向の長さを、前記第２バンド固定部の高さより長く形成することができる。  
この発明によれば、第１バンド固定部を被結束物の外周面から確実に離間させることができる。
【００５９】
詳しくは、例えば連結部の長さが第２バンド固定部の高さより短い場合、第１バンド固定部を被結束物の外周面から離間される方向に向けて変位させる際に、第１バンド固定部が第２ハンド固定部に当接したり、あるいは、接触したりする等して、第１バンド固定部の変位が妨げられるため、挿通孔の挿通始端側を被結束物の外周面に対して対向が回避される方向に向けることが難しい。
【００６０】
これに対して、本発明の結束バンドは、連結部の長さを第２バンド固定部の高さより長くしているため、第１バンド固定部を被結束物の外周面から離間される方向（例えば第２バンド固定部の高さと対応する方向）へ変位させる際に、第１バンド固定部が第２ハンド固定部に当接したり、あるいは、接触したりすることを防止できる。
【００６１】
これにより、バンド部を被結束物の外周面に巻き付けたまま、第１バンド固定部を被結束物の外周面から離間される方向に向けて確実に変位させることができる。  
この結果、被結束物に巻き付けられたバンド部を、第１バンド固定部の挿通孔に対して挿通始端側から確実に挿通することができる。
【００６２】
しかも、バンド部を第１バンド固定部の挿通孔に挿通する際に、バンド部に緩みが生じたり、結束バンドの巻き付け位置が変位したりすることを防止できるため、結束バンドを被結束物における長手方向の所定位置に対してより確実に巻き付け固定することができる。
【００６３】
またこの発明の態様として、前記連結部の長手方向の長さを、前記第２バンド固定部の幅より長く形成することができる。  
この発明によれば、第１バンド固定部を被結束物の外周面から確実に離間させることができる。
【００６４】
詳しくは、本発明の結束バンドは、連結部の長さを第２バンド固定部の幅より長くしているため、第１バンド固定部を被結束物の外周面から離間される方向（例えば第２バンド固定部の幅と対応する方向）へ変位させる際に、第１バンド固定部が第２ハンド固定部に当接したり、あるいは、接触したりすることを防止できる。
【００６５】
これにより、バンド部を被結束物の外周面に巻き付けたまま、第１バンド固定部を被結束物の外周面から離間される方向に向けて確実に変位させることができる。  
この結果、被結束物に巻き付けられたバンド部を、第１バンド固定部の挿通孔に対して挿通始端側から確実に挿通することができる。
【００６６】
しかも、バンド部を第１バンド固定部の挿通孔に挿通する際に、バンド部に緩みが生じたり、結束バンドの巻き付け位置が変位したりすることを防止できるため、結束バンドを被結束物における長手方向の所定位置に対してより確実に巻き付け固定することができる。
【００６７】
なお、連結部の長さを、第２バンド固定部の高さ及び幅より長くしてもよく、第１バンド固定部を被結束物の外周面から離間される方向に向けてより容易に変位させることができる。
【発明の効果】
【００６８】
この発明によれば、結束バンドの巻き付け位置が変位することを防止することができるとともに、被結束物における長手方向の所定位置に巻き付け固定することができる結束バンドを提供することができる。
【図面の簡単な説明】
【００６９】
【図１】１つのバンド固定部を備えた実施例１の結束バンドの斜視図。
【図２】図１に示す結束バンドの正面図、及び背面図。
【図３】図２に示す結束バンドの断面図。
【図４】バンド部を一方向に挿通し固定するバンド固定部の説明図。
【図５】結束バンドをワイヤハーネスに巻き付けた状態の斜視図。
【図６】図５に示すワイヤハーネスに巻き付けた結束バンドの側面図。
【図７】２つのバンド固定部を備えた実施例２の結束バンドの斜視図。
【図８】図７に示す結束バンドの正面図、及び背面図。
【図９】図８に示す結束バンドの断面図。
【図１０】結束バンドをワイヤハーネスに巻き付けた状態の斜視図。
【図１１】図１０に示すワイヤハーネスに巻き付けた結束バンドの側面図。
【図１２】結束バンドを２本のワイヤハーネスに巻き付けた状態の斜視図。
【図１３】図１２に示すワイヤハーネスに巻き付けた結束バンドの側面図。
【図１４】逆向きのバンド固定部を備えた実施例３の結束バンドの斜視図。
【図１５】図１４に示す結束バンドの正面図、及び背面図。
【図１６】図１４に示す結束バンドの断面図。
【図１７】ワイヤハーネスに巻き付けた結束バンドの側面図。
【図１８】並列にバンド固定部を備えた実施例４の結束バンドの正面図、及び背面図。
【図１９】バンド固定部を直列に配置した実施例５の結束バンドの斜視図。
【図２０】図１９に示す結束バンドの正面図、及び背面図。
【図２１】図２０に示す結束バンドの断面図。
【図２２】結束バンドをワイヤハーネスに巻き付けた状態の斜視図。
【図２３】図２２に示すワイヤハーネスに巻き付けた結束バンドの側面図。
【図２４】結束バンドを２本のワイヤハーネスに巻き付けた状態の斜視図。
【図２５】図２４に示すワイヤハーネスに巻き付けた結束バンドの側面図。
【図２６】バンド固定部を長手方向と交差する方向に所定距離ずらして配置した実施例６の結束バンドの斜視図。
【図２７】図２６に示す結束バンドの正面図、及び背面図。
【図２８】結束バンドをワイヤハーネスに巻き付けた状態の斜視図。
【図２９】結束バンドのバンド部を連結部に巻き重ねた状態の斜視図。
【図３０】結束バンドを２本のワイヤハーネスに巻き付けた状態の斜視図。
【図３１】バンド固定部をＬ字に配置した実施例７の結束バンドの正面図、及び背面図。
【図３２】結束バンドをワイヤハーネスに巻き付けた状態の斜視図。
【図３３】結束バンドを２本のワイヤハーネスに巻き付けた状態の斜視図。
【図３４】バンド固定部を並列に配置した実施例８の結束バンドの正面図、及び背面図。
【図３５】結束バンドをワイヤハーネスに巻き付けた状態の斜視図。
【図３６】結束バンドを２本のワイヤハーネスに巻き付けた状態の斜視図。
【発明を実施するための形態】
【００７０】
この発明の一実施形態を以下図面に基づいて詳述する。  
図１は１つのバンド固定部３０Ａを備えた実施例１の結束バンド１０の斜視図、図２は図１に示す結束バンド１０Ａの正面図、及び背面図であり、詳しくは、図２（ａ）は図１に示す結束バンド１０Ａの正面図、図２（ｂ）は図１に示す結束バンド１０Ａの背面図である。
【００７１】
図３は図２に示す結束バンド１０Ａの断面図であり、詳しくは、図３（ａ）は図２に示す結束バンド１０ＡのＡ−Ａ線矢視断面図、図３（ｂ）は図２に示す結束バンド１０ＡのＢ−Ｂ線矢視断面図である。
【００７２】
図４はバンド部２０を一方向に挿通し固定するバンド固定部３０Ａの説明図であり、詳しくは、図４（ａ）は挿通孔３１内に設けた係止片３２の拡大断面図、図４（ｂ）は係止片３２をバンド部２０の係止部２２に対して係止が解除される方向に弾性変位させた状態の拡大断面図、図４（ｃ）は係止片３２をバンド部２０の係止部２２に対して係止した状態の拡大断面図である。
【００７３】
実施例１の結束バンド１０Ａは、柔軟性を有する合成樹脂にて一体成形されており、ワイヤハーネスＷＨの外周面に巻き付けられる帯状のバンド部２０と、バンド部２０の長手方向Ｌの基端に連設され、該バンド部２０を一方向（挿通方向Ｎ）に挿通し固定する挿通孔３１を有するバンド固定部３０Ａとを備えている（図１〜図３参照）。
【００７４】
バンド部２０は、バンド固定部３０Ａの挿通孔３１に挿通される先端側に、該先端側に向けて徐々に幅狭となり、先端側に向けて徐々に肉厚が薄くなる先端部２０ａを形成している。バンド部２０におけるワイヤハーネスＷＨの外周面に巻き付けられる方の片面２１には、幅方向Ｗから見て略鋸刃状の係止部２２を該バンド部２０の片面２１に沿って長手方向Ｌに形成している（図２、図３参照）。
【００７５】
係止部２２は、後述する係止片３２の爪部３３が係止される凸部２３を、バンド部２０の片面２１に沿って長手方向Ｌに多数配列して構成している。  
凸部２３におけるバンド部２０の先端部２０ａ側と対応する部分は、該バンド部２０の先端部２０ａ側から基端側に向けて徐々に高くなるように傾斜している。  
凸部２３におけるバンド部２０の基端側と対応する部分は、該バンド部２０の長手方向Ｌと直交する厚み方向に向けて略垂直に形成している（図３（ａ）のａ部拡大図参照）。
【００７６】
バンド固定部３０Ａは、バンド部２０の長手方向Ｌの基端に対して、該バンド部２０の長手方向Ｌと交差する方向に所定距離（バンド部２０の横幅と対応する距離）ずらして配置している（図１、図２参照）。
【００７７】
より詳しくは、バンド固定部３０Ａは、バンド部２０における長手方向Ｌの基端側を、該長手方向Ｌと交差（例えば略４５度）する方向に延出して、正面から見て左側斜め上方に延びる延出側端部に連設している。
【００７８】
バンド固定部３０Ａにおける平面から見て中央部には、バンド部２０が挿通される正面視略矩形の挿通孔３１を挿通方向Ｎに貫通して開口している。挿通孔３１は、バンド部２０を挿通する挿通方向Ｎから見て、該バンド部２０が挿通される大きさ、及び形状に形成している（図３（ｂ）のｂ部拡大図参照）。
【００７９】
挿通孔３１の内部には、バンド部２０を挿通孔３１に挿通した状態において、バンド部２０の片面２１に形成した係止部２２に対して係止される係止片３２を設けている。係止片３２は、挿通孔３１における挿通方向Ｎの手前側下縁部から該挿通方向Ｎに向けて延びるように形成している（図４（ａ）参照）。
【００８０】
係止片３２におけるバンド部２０の係止部２２に係止される部分には、該係止部２２の凸部２３に対して爪部３３を挿通方向Ｎに複数配列している。爪部３３は、係止部２２の凸部２３に対して挿通方向Ｎと逆向きに係止される大きさ、及び形状に形成している。
【００８１】
係止片３２は、バンド部２０を挿通孔３１に対して挿通方向Ｎに挿通する際に、係止部２２の凸部２３を係止片３２の爪部３３に当接することにより、凸部２３に対して爪部３３の係止が解除され方向に弾性変位する（図４（ａ）の二点鎖線、（ｂ）の実線参照）。
【００８２】
バンド部２０を挿通孔３１から挿通方向Ｎと逆方向に引き抜こうとする際に、弾性変位する前の状態に復帰しようとする復元力により、凸部２３に対して爪部３３が係止される状態に復帰する（図４（ａ）（ｃ）の実線参照）。
【００８３】
上述の結束バンド１０Ａを、ワイヤハーネスＷＨにおける長手方向Ｌの所定位置に巻き付け固定する際の手順について説明する。  
図５は結束バンド１０ＡをワイヤハーネスＷＨに巻き付けた状態の斜視図、図６は図５に示すワイヤハーネスＷＨに巻き付けた結束バンド１０Ａの側面図である。
【００８４】
先ず、結束バンド１０Ａのバンド部２０をワイヤハーネスＷＨの外周面に対して複数回巻き付ける際に、バンド部２０の基端側をワイヤハーネスＷＨの外周面に押し付けた後、バンド部２０をワイヤハーネスＷＨの外周面に沿って周方向に巻き付ける。
【００８５】
続いて、バンド部２０における二巻目の部分を、バンド固定部３０Ａに対して所定距離ずらしてワイヤハーネスＷＨの外周面に沿って周方向に巻き付けるとともに、先に巻き付けられた一巻目の部分に沿って周方向に巻き付ける（図５、図６参照）。
【００８６】
バンド部２０を２回巻き付けた後、該バンド部２０を先端部２０ａ側からバンド固定部３０Ａの挿通孔３１に対して挿通始端側から挿通方向Ｎに挿通し、該挿通孔３１に設けた係止片３２の爪部３３を、バンド部２０の片面２１に形成した係止部２２の凸部２３に係止して固定する（図４（ｂ）（ｃ）参照）。
【００８７】
つまり、バンド固定部３０Ａを、バンド部２０の長手方向Ｌの基端に対して、該バンド部２０の長手方向Ｌと交差する方向に所定距離ずらして配置しているため、バンド部２０をバンド固定部３０Ａに巻き重ねるか、バンド部２０同士を巻き重ねることなく、バンド部２０における一巻目、及び二巻目の部分を、ワイヤハーネスＷＨの外周面に沿って周方向にそれぞれ巻き付けることができる（図５、図６参照）。
【００８８】
これにより、バンド部２０の長手方向Ｌに捩れが生じにくく、バンド部２０をワイヤハーネスＷＨの外周面に対して密着させた状態に巻き付けることができるため、結束バンド１０Ａを、ワイヤハーネスＷＨの外周面に対して巻き付けた状態を維持するのに必要な接触抵抗が安定して得られるとともに、該ワイヤハーネスＷＨを十分に締めつけることができる。
【００８９】
この結果、結束バンド１０Ａを、ワイヤハーネスＷＨにおける長手方向Ｌの所定位置に対して確実に巻き付け固定することができる。  
しかも、ワイヤハーネスＷＨに巻き付けられたバンド部２０に緩みが生じにくく、該結束バンド１０Ａの巻き付け位置がワイヤハーネスＷＨの周方向や長手方向Ｌに変位することを防止することができる。
【００９０】
上述の結束バンド１０Ａを巻き付けたワイヤハーネスＷＨは、図６中の二点鎖線で示すバンド止め具４０を用いて図示しない車両の車体パネルに固定することができる。  
バンド止め具４０は、結束バンド１０Ａのバンド部２０が固定される本体部４１と、図示しない車体パネルの取付け孔に対して差し込み固定される正面視錨形状の差込み部４２とを備えている。
【００９１】
つまり、結束バンド１０Ａのバンド部２０をバンド止め具４０の本体部４１に固定した後、バンド止め具４０が取り付けられた結束バンド１０ＡをワイヤハーネスＷＨの外周面に対して巻き付け固定する。
【００９２】
これにより、バンド止め具４０の差込み部４２を、図示しない車体パネルの取付け孔に差し込み固定するだけで、結束バンド１０Ａにより結束したワイヤハーネスＷＨを、図示しない車体パネルの所望する部分に配索することができる。
【００９３】
以下、上述の結束バンド１０Ａにおけるその他の例について説明する。この説明において、前記構成と同一または同等の部位については同一の符号を記してその詳しい説明を省略する。
【００９４】
（実施例２）  
実施例１では１つのバンド固定部３０Ａを備えた結束バンド１０Ａについて説明したが、実施例２では、図７、図８、図９に示すように、２つのバンド固定部３０Ａ，３０Ｂを備えた結束バンド１０Ｂについて説明する。
【００９５】
図７は２つのバンド固定部３０Ａ，３０Ｂを備えた実施例２の結束バンド１０Ｂの斜視図、図８は図７に示す結束バンド１０Ｂの正面図、及び背面図であり、詳しくは、図８（ａ）は図７に示す結束バンド１０Ｂの正面図、図８（ｂ）は図７に示す結束バンド１０Ｂの背面図である。
【００９６】
図９は図８に示す結束バンド１０Ｂの断面図であり、詳しくは、図９（ａ）は図８に示す結束バンド１０ＢのＣ−Ｃ線矢視断面図、図９（ｂ）は図８に示す結束バンド１０ＢのＤ−Ｄ線矢視断面図である。
【００９７】
実施例２の結束バンド１０Ｂは、ワイヤハーネスＷＨの外周面に巻き付けられるバンド部２０と、該バンド部２０の長手方向Ｌの基端に連設した挿通方向Ｎが同一の第１、及び第２のバンド固定部３０Ａ，３０Ｂとを備えている（図７〜図９参照）。
【００９８】
第１のバンド固定部３０Ａは、バンド部２０の長手方向Ｌの基端に対して、該バンド部２０の長手方向Ｌと交差する方向に所定距離（バンド部２０、あるいは、バンド固定部３０Ａの横幅と対応する距離）ずらして配置している。  
第２のバンド固定部３０Ｂは、バンド部２０の長手方向Ｌの基端に対して直列に配置している。より詳しくは、バンド部２０における幅方向Ｓの中央部を通る図示しない軸線上に配置している（図７、図８参照）。
【００９９】
すなわち、第１のバンド固定部３０Ａを、第２のバンド固定部３０Ｂに対して正面から見て左側斜め上方に配置して、該バンド固定部３０Ａ，３０Ｂを、バンド部２０の長手方向Ｌに対して互い違いとなるように配置している（図７、図８参照）。
【０１００】
バンド固定部３０Ａ，３０Ｂには、バンド部２０が挿通される正面視略矩形の挿通孔３１を挿通方向Ｎに貫通して開口している。挿通孔３１の内部には、バンド部２０の片面２１に形成した係止部２２に係止される係止片３２を同一方向に向けて設けている。
【０１０１】
係止片３２における係止部２２の凸部２３に係止される部分には、該係止部２２の凸部２３に対して爪部３３を挿通方向Ｎに複数配列している（図９（ａ）（ｂ）のａ部、及びｂ部拡大図参照）。
【０１０２】
上述の結束バンド１０Ｂを、ワイヤハーネスＷＨにおける長手方向Ｌの所定位置に巻き付け固定する際の手順について説明する。  
図１０は結束バンド１０ＢをワイヤハーネスＷＨに巻き付けた状態の斜視図、図１１は図１０に示すワイヤハーネスＷＨに巻き付けた結束バンド１０Ｂの側面図である。
【０１０３】
先ず、結束バンド１０Ｂのバンド部２０をワイヤハーネスＷＨの外周面に対して複数回巻き付ける際に、バンド部２０の基端側をワイヤハーネスＷＨの外周面に押し付けた後、バンド部２０をワイヤハーネスＷＨの外周面に沿って周方向に巻き付ける（図１０、図１１参照）。
【０１０４】
バンド部２０を先端部２０ａ側から第２のバンド固定部３０Ｂの挿通孔３１に対して挿通始端側から挿通方向Ｎに挿通し、該挿通孔３１に設けた係止片３２の爪部３３を、バンド部２０の片面２１に形成した係止部２２の凸部２３に係止して固定する（図４（ｂ）（ｃ）参照）。
【０１０５】
続いて、第２のバンド固定部３０Ｂの挿通孔３１に挿通したバンド部２０を、第１のバンド固定部３０Ａに対して所定距離ずらしてワイヤハーネスＷＨの外周面に沿って周方向に巻き付けるとともに、バンド部２０における二巻目の部分を、先に巻きつけた一巻目の部分に沿って周方向に巻き付ける（図１０、図１１参照）。
【０１０６】
バンド部２０を２回巻き付けた後、該バンド部２０を先端部２０ａ側から第２のバンド固定部３０Ｂの挿通孔３１に対して挿通方向Ｎに挿通し、該挿通孔３１に設けた係止片３２の爪部３３を、バンド部２０の片面２１に形成した係止部２２の凸部２３に係止して固定する（図４（ｂ）（ｃ）参照）。
【０１０７】
つまり、第１のバンド固定部３０Ａを、第２のバンド固定部３０Ｂに対してバンド部２０の長手方向Ｌと交差する方向に所定距離ずらして配置しているため、バンド部２０をバンド固定部３０Ａ，３０Ｂに巻き重ねるか、バンド部２０同士を巻き重ねることなく、バンド部２０における一巻目、及び二巻目の部分を、ワイヤハーネスＷＨの外周面に沿って周方向にそれぞれ巻き付けることができる（図１０、図１１参照）。
【０１０８】
これにより、バンド部２０の長手方向Ｌに捩れが生じにくく、該バンド部２０における一巻目、及び二巻目の部分を、ワイヤハーネスＷＨの外周面に対して密着させた状態にそれぞれ巻き付けることができるため、結束バンド１０Ｂを、ワイヤハーネスＷＨの外周面に対して巻き付けた状態を維持するのに必要な接触抵抗がより安定して得られるとともに、該ワイヤハーネスＷＨを十分に締めつけることができる。  
この結果、結束バンド１０Ｂを、ワイヤハーネスＷＨにおける長手方向Ｌの所定位置に対して確実に巻き付け固定することができる。
【０１０９】
しかも、バンド部２０における一巻目、及び二巻目の部分を、第１、及び第２のバンド固定部３０Ａ，３０Ｂの挿通孔３１にそれぞれ挿通して固定するため、該バンド部２０における一巻目、及び二巻目の部分を、ワイヤハーネスＷＨに巻き付けられた所定位置にてそれぞれ確実に巻き付け固定することができる。
【０１１０】
このため、ワイヤハーネスＷＨに巻き付けたバンド部２０の一巻目、及び二巻目の部分に緩みが生じにくく、該結束バンド１０Ｂの巻き付け位置がワイヤハーネスＷＨの周方向や長手方向Ｌに変位することをより確実に防止することができる。
【０１１１】
さらに、第１、及び第２のバンド固定部３０Ａ，３０Ｂを、バンド部２０の長手方向Ｌに対して互い違いとなるように配置しているため、バンド固定部３０Ａ，３０Ｂの挿通孔３１の挿通始端側がワイヤハーネスＷＨの外周面と対向する状態に巻き付けられていても、第１のバンド固定部３０ＡをワイヤハーネスＷＨの外周面から離間される方向に変位させて、挿通孔３１の挿通始端側をワイヤハーネスＷＨの外周面に対して対向が回避される方向に向けることができる。
【０１１２】
これにより、結束バンド１０Ｂの巻き付け位置を変位させることなく、バンド部２０を、バンド固定部３０Ａの挿通孔３１に対して挿通始端側から挿通方向Ｎに向けて容易に挿通することができる。  
この結果、結束バンド１０Ｂを、ワイヤハーネスＷＨにおける長手方向Ｌの所定位置に対してより正確に巻き付け固定することができる。
【０１１３】
さらに、結束バンド１０Ｂにより結束したワイヤハーネスＷＨは、図１１中の二点鎖線で示すバンド止め具４０を用いて、図示しない車両の車体パネルの所望する部分に配索することができる。
【０１１４】
また、上述の結束バンド１０Ｂは、２本のワイヤハーネスＷＨを１つに束ねた状態に結束する際にも用いることができる。  
図１２は結束バンド１０ＢをワイヤハーネスＷＨに巻き付けた状態の斜視図、図１３は図１２に示すワイヤハーネスＷＨに巻き付けた結束バンド１０Ｂの側面図である。
【０１１５】
先ず、結束バンド１０Ｂにおけるバンド部２０の基端側を１本目のワイヤハーネスＷＨの外周面に押し付けた後、バンド部２０を１本目のワイヤハーネスＷＨの外周面に沿って周方向に巻き付けるとともに、該バンド部２０を先端部２０ａ側から第２のバンド固定部３０Ｂの挿通孔３１に挿通して固定する（図４（ｂ）（ｃ）参照）。
【０１１６】
続いて、第２のバンド固定部３０Ｂの挿通孔３１に挿通したバンド部２０を、第１のバンド固定部３０Ａに対して所定距離ずらして、再び１本目のワイヤハーネスＷＨの外周面に沿って周方向に巻き付けるとともに、バンド部２０における二巻目の部分を、先に巻き付けられた一巻目の部分に沿って周方向に巻き付ける。
【０１１７】
２本目のワイヤハーネスＷＨを、１本目のワイヤハーネスＷＨに沿わせて配置した後、１本目のワイヤハーネスＷＨに巻き付けられたバンド部２０を、２本目のワイヤハーネスＷＨの外周面に対して周方向に掛け渡すように巻き付けるとともに、該バンド部２０を先端部２０ａ側から第１のバンド固定部３０Ａの挿通孔３１に挿通して固定する（図１２、図１３参照）。
【０１１８】
つまり、第１のバンド固定部３０Ａを、第２のバンド固定部３０Ｂに対してバンド部２０の長手方向Ｌと交差する方向に所定距離ずらして配置しているため、バンド部２０をバンド固定部３０Ａ，３０Ｂに巻き重ねるか、バンド部２０同士を巻き重ねることなく、バンド部２０を２本のワイヤハーネスＷＨの外周面に対して周方向にそれぞれ巻き付けることができる（図１０、図１１参照）。
【０１１９】
これにより、バンド部２０の長手方向Ｌに捩れが生じにくく、該バンド部２０を２本のワイヤハーネスＷＨの外周面に対して密着させた状態にそれぞれ巻き付けることができるとともに、各ワイヤハーネスＷＨにおける長手方向Ｌの所定位置に対して確実に巻き付け固定することができる。  
この結果、１本の結束バンド１０Ｂを用いて、２本のワイヤハーネスＷＨを１つに束ねた状態に結束することができる。
【０１２０】
しかも、バンド部２０を２本のワイヤハーネスＷＨの外周面に対してそれぞれ巻き付けた状態において、第１、及び第２のバンド固定部３０Ａ，３０Ｂの挿通孔３１にそれぞれ挿通して固定するため、バンド部２０を各ワイヤハーネスＷＨに巻き付けられた所定位置にてそれぞれ確実に巻き付け固定することができるとともに、２本のワイヤハーネスＷＨを１つに束ねた状態に保つことができる。
【０１２１】
このため、各ワイヤハーネスＷＨに巻き付けられたバンド部２０に緩みが生じにくく、結束バンド１０Ｂの巻き付け位置がワイヤハーネスＷＨの周方向や長手方向Ｌに変位することをより確実に防止することができる。
【０１２２】
さらに、結束バンド１０Ｂにより結束したワイヤハーネスＷＨは、図１３中の二点鎖線で示すバンド止め具４０を用いて、図示しない車両の車体パネルの所望する部分に配索することができる。
【０１２３】
また、第１のバンド固定部３０Ａを、第２のバンド固定部３０Ｂに対してバンド部２０の長手方向Ｌと交差する方向に所定距離ずらして配置した以外の構成は実施例１と略同一であるため、上述の実施例１と略同等の作用、及び効果を奏することができる。
【０１２４】
（実施例３）  
実施例２では挿通方向Ｎが同一の第１、及び第２のバンド固定部３０Ａ，３０Ｂを備えた結束バンド１０Ｂについて説明したが、実施例３では、図１４、図１５、図１６に示すように、バンド固定部３０Ａを、バンド固定部３０Ｂに対して挿通方向Ｎが逆向きとなるように配置した結束バンド１０Ｃについて説明する。
【０１２５】
図１４は挿通方向Ｎが逆向きのバンド固定部３０Ａを備えた実施例３の結束バンド１０Ｃの斜視図、図１５は図１４に示す結束バンド１０Ｃの正面図、及び背面図であり、詳しくは、図１５（ａ）は結束バンド１０Ｃの正面図、図１５（ｂ）は結束バンド１０Ｃの背面図である。
【０１２６】
図１６は図１５に示す結束バンド１０Ｃの断面図であり、詳しくは、図１６（ａ）は図１５に示す結束バンド１０ＣのＥ−Ｅ線矢視断面図、図１６（ｂ）は図１５に示す結束バンド１０ＣのＦ−Ｆ線矢視断面図、図１７はワイヤハーネスＷＨに巻き付けた結束バンド１０Ｃの側面図である。
【０１２７】
実施例３の結束バンド１０Ｃは、バンド部２０の長手方向Ｌと交差する方向に所定距離ずらして配置した第１のバンド固定部３０Ａを、該バンド部２０の長手方向Ｌの基端に対して直列に配置した第２のバンド固定部３０Ｂに対して、バンド部２０を挿通孔３１に挿通する挿通方向Ｎが逆向きとなるように配置している（図１４、図１５参照）。
【０１２８】
バンド固定部３０Ｂの係止片３２は、該固定部側の挿通孔３１における挿通方向Ｎの手前側下縁部から該挿通方向Ｎに向けて延びるように形成しているが（図１６（ａ）のａ部拡大図参照）、バンド固定部３０Ａの係止片３２は、該固定部側の挿通孔３１における挿通方向Ｎの手前側上縁部から該挿通方向Ｎに向けて延びるように形成している（図１６（ｂ）のｂ部拡大図参照）。
【０１２９】
つまり、バンド固定部３０Ａの係止片３２は、係止部２２の凸部２３に対して係止される方向がバンド固定部３０Ｂの係止片３２と逆向きとなるように形成している（図１６（ａ）（ｂ）のａ部、及びｂ部拡大図参照）。
【０１３０】
上述の結束バンド１０Ｃを用いて、２本のワイヤハーネスＷＨを１つに束ねた状態に結束する場合、結束バンド１０Ｃにおけるバンド部２０の基端側を１本目のワイヤハーネスＷＨの外周面に押し付けた後、バンド部２０を１本目のワイヤハーネスＷＨの外周面に沿って周方向に巻き付けるとともに、該バンド部２０を先端部２０ａ側からバンド固定部３０Ｂの挿通孔３１に挿通して固定する（図４（ｂ）（ｃ）参照）。
【０１３１】
続いて、バンド固定部３０Ｂの挿通孔３１に挿通したバンド部２０を、第１のバンド固定部３０Ａに対して所定距離ずらして２本目のワイヤハーネスＷＨの外周面に沿って周方向に巻き付けるとともに、該バンド部２０を先端部２０ａ側からバンド固定部３０Ａの挿通孔３１に挿通し、該挿通孔３１に設けた係止片３２の爪部３３を、バンド部２０の片面２１に形成した係止部２２の凸部２３に係止して固定する（図４（ｂ）（ｃ）参照）。
【０１３２】
つまり、結束バンド１０Ｃのバンド固定部３０Ａを、バンド固定部３０Ｂに対してバンド部２０を挿通孔３１に挿通する挿通方向Ｎが逆向きとなるように配置しているため、バンド固定部３０Ａ，３０Ｂの挿通孔３１の挿通始端側がワイヤハーネスＷＨの外周面と対向する状態に巻き付けられていても、２本目のワイヤハーネスＷＨに巻き付けられたバンド部２０を、バンド固定部３０Ａの挿通孔３１に対して１本目のワイヤハーネスＷＨの外周面と対向しない逆方向（図１７中の上方）から挿通して固定することができる。
【０１３３】
これにより、結束バンド１０Ｃのバンド部２０を、バンド固定部３０Ａの挿通孔３１に対してワイヤハーネスＷＨの外周面と対向する側に回り込んで挿通するよりも、該バンド固定部３０Ａの挿通孔３１に対してワイヤハーネスＷＨの外周面と対向しない逆方向から挿通する方が、よりスムースに挿通することができる（図１７参照）。
【０１３４】
この結果、結束バンド１０ＣをワイヤハーネスＷＨに巻き付ける際に、該結束バンド１０Ｃの巻き付け位置がワイヤハーネスＷＨの周方向や長手方向Ｌに変位することをより確実に防止することができるとともに、結束バンド１０Ｃを、ワイヤハーネスＷＨにおける外周面の所定位置により正確に巻き付け固定することができる。
【０１３５】
しかも、２本のワイヤハーネスＷＨを１つに束ねた状態に結束する際に、結束バンド１０Ｃのバンド部２０を、並列に配置した２本のワイヤハーネスＷＨの外周面に対して掛け渡すように巻き付けなくても、該各ワイヤハーネスＷＨに対して略８字状に巻き付けることができる。
【０１３６】
このため、結束バンド１０Ｃのバンド部２０を、２本のワイヤハーネスＷＨの外周面に対して掛け渡すように巻き付けるよりも、バンド部２０を２本のワイヤハーネスＷＨの外周面に対して密着させた状態にそれぞれ確実に巻き付けることができるため、各ワイヤハーネスＷＨにおける長手方向Ｌの所定位置に対してより確実に巻き付け固定することができる。
【０１３７】
さらに、結束バンド１０Ｃにより結束したワイヤハーネスＷＨは、図１７中の二点鎖線で示すバンド止め具４０を用いて、図示しない車両の車体パネルの所望する部分に配索することができる。
【０１３８】
また、バンド固定部３０Ａを、バンド固定部３０Ｂに対して挿通方向Ｎが逆向きとなるように配置した以外の構成は実施例２と略同一であるため、実施例２と略同等の作用、及び効果を奏することができる。
【０１３９】
（実施例４）  
実施例２，３ではバンド固定部３０Ａ，３０Ｂを、バンド部２０の長手方向Ｌに対して互い違いとなるように配置した例について説明したが、実施例４では、図１８に示すように、バンド固定部３０Ａ，３０Ｂを幅方向Ｗに並列配置した結束バンド１０Ｄについて説明する。
【０１４０】
図１８はバンド固定部３０Ａ，３０Ｂを並列に配置した実施例４の結束バンド１０Ｄの正面図、及び背面図であり、詳しくは、図１８（ａ）は結束バンド１０Ｄの正面図、図１８（ｂ）は結束バンド１０Ｄの背面図である。
【０１４１】
実施例４の結束バンド１０Ｄは、バンド部２０の長手方向Ｌと交差する方向に所定距離ずらして配置した第１のバンド固定部３０Ａと、該バンド部２０の長手方向Ｌの基端に対して直列に配置した第２のバンド固定部３０Ｂとを備えている。  
バンド固定部３０Ａ，３０Ｂは、バンド部２０の長手方向Ｌの基端に対して該長手方向Ｌと直交して幅方向Ｗに並列配置するとともに、該バンド固定部３０Ａ，３０Ｂ同士を一体成形している。
【０１４２】
詳しくは、バンド固定部３０Ａ，３０Ｂを、長手方向Ｌ、あるいは幅方向Ｗに対して所定間隔を隔てて配置した場合、バンド固定部３０Ａ，３０Ｂ同士を連設する部分の肉厚が薄くなる。
【０１４３】
このため、バンド部２０をワイヤハーネスＷＨの外周面に対して強く巻き付けた際に、肉厚の薄い部分に応力が集中するため、バンド固定部３０Ａ，３０Ｂの連設部分に亀裂や割れ等が発生しやすく、結束バンド１０Ｄを、ワイヤハーネスＷＨの外周面に対して巻き付けた状態を維持するのに必要な強度を確保することが困難である。
【０１４４】
これに対して、上述の結束バンド１０Ｄは、バンド固定部３０Ａ，３０Ｂをバンド部２０の長手方向Ｌと直交して並列に配置するとともに、バンド固定部３０Ａ，３０Ｂ同士を連設する部分の肉厚を該バンド固定部３０Ａ，３０Ｂと略同等の肉厚に形成している。
【０１４５】
このため、バンド部２０をワイヤハーネスＷＨの外周面に対して強く巻き付けても、バンド固定部３０Ａ，３０Ｂの連設部分に破損や損傷等が生じにくく、バンド部２０を、ワイヤハーネスＷＨの外周面に対して強く巻き付けるための必要な強度を確保することができる。
【０１４６】
この結果、結束バンド１０Ｄのバンド部２０を、ワイヤハーネスＷＨの外周面に対してより強く巻き付け固定することができるため、結束バンド１０Ｄの巻き付け位置が、ワイヤハーネスＷＨの周方向や長手方向Ｌに変位することをより積極的に防止することができる。  
また、バンド固定部３０Ａ，３０Ｂを並列に配置した以外の構成は実施例２，３と略同一であるため、実施例２，３と略同等の作用、及び効果を奏することができる。
【０１４７】
（実施例５）  
実施例１〜４ではバンド固定部３０Ａをバンド部２０の長手方向Ｌと交差する方向に所定距離ずらして配置した例について説明したが、実施例５では、図１９〜図２５に示すように、バンド固定部３０Ａ，３０Ｂを直列に配置した結束バンド１０Ｅについて説明する。
【０１４８】
図１９はバンド固定部３０Ａ，３０Ｂを直列に配置した実施例５の結束バンド１０Ｅの斜視図、図２０は図１９に示す結束バンド１０Ｅの正面図、及び背面図であり、詳しくは、図２０（ａ）は図１９に示す結束バンド１０Ｅの正面図、図２０（ｂ）は図１９に示す結束バンド１０Ｅの背面図である。  
図２１は図２０（ａ）に示す結束バンド１０ＥのＧ−Ｇ線矢視断面図である。
【０１４９】
実施例５の結束バンド１０Ｅは、ワイヤハーネスＷＨの外周面に巻き付けられるバンド部２０と、バンド部２０の長手方向Ｌの基端に対して直列に配置したバンド固定部３０Ａ，３０Ｂと、バンド固定部３０Ａとバンド固定部３０Ｂとを連結する可撓性を有する連結部３４Ｅとを備えている。
【０１５０】
バンド部２０は、バンド固定部３０Ａ，３０Ｂの挿通孔３１に挿通される先端側に、先端側に向けて徐々に幅狭となり、先端側に向けて徐々に肉厚が薄くなる先端部２０ａを形成している。  
バンド部２０におけるワイヤハーネスＷＨの外周面に巻き付けられる方の片面２１には、幅方向Ｗから見て略鋸刃状の係止部２２をバンド部２０の片面２１に沿って長手方向Ｌに形成している（図２０、図２１参照）。
【０１５１】
係止部２２は、後述する係止片３２の爪部３３が係止される凸部２３を、バンド部２０の片面２１に沿って長手方向Ｌに多数配列して構成している。  
凸部２３におけるバンド部２０の先端部２０ａ側と対応する部分は、バンド部２０の先端部２０ａ側から基端側に向けて徐々に高くなるように傾斜している。  
凸部２３におけるバンド部２０の基端側と対応する部分は、バンド部２０の長手方向Ｌと直交する厚み方向に向けて略垂直に形成している（図２１のａ部拡大図参照）。
【０１５２】
バンド固定部３０Ａ，３０Ｂは、バンド部２０の挿通方向Ｎが同一のバンド固定部であり、バンド部２０における幅方向Ｓの中央部を通る図示しない軸線上に配置し、バンド部２０の長手方向Ｌに対して所定距離を隔てて配置している（図２０、図２１参照）。
【０１５３】
バンド固定部３０Ａ，３０Ｂの長手方向Ｌに対向する端部同士を後述する連結部３４Ｅで連結している。バンド固定部３０Ａは、バンド部２０の長手方向Ｌの基端から長手方向Ｌに所定距離を隔てて配置している。バンド固定部３０Ｂは、バンド部２０の長手方向Ｌの基端に対して直列に配置している。
【０１５４】
バンド固定部３０Ａ，３０Ｂにおける平面から見て中央部には、バンド部２０が挿通される正面視略矩形の挿通孔３１を挿通方向Ｎに貫通して開口している。挿通孔３１は、バンド部２０を挿通する挿通方向Ｎから見て、バンド部２０が挿通される大きさ、及び形状に形成している（図２１のｂ部拡大図参照）。
【０１５５】
挿通孔３１の内部には、バンド部２０を挿通孔３１に挿通した状態において、バンド部２０の片面２１に形成した係止部２２に対して係止される係止片３２を設けている。係止片３２は、挿通孔３１における挿通方向Ｎの手前側下縁部から挿通方向Ｎに向けて延びるように形成している。
【０１５６】
係止片３２におけるバンド部２０の係止部２２に係止される部分には、係止部２２の凸部２３に対して爪部３３を挿通方向Ｎに複数配列している。爪部３３は、係止部２２の凸部２３に対して挿通方向Ｎと逆向きに係止される大きさ、及び形状に形成している。
【０１５７】
係止片３２は、バンド部２０を挿通孔３１に対して挿通方向Ｎに挿通する際に、係止部２２の凸部２３を係止片３２の爪部３３に当接することにより、凸部２３に対して爪部３３の係止が解除される方向に弾性変位する。
【０１５８】
バンド部２０を挿通孔３１から挿通方向Ｎと逆方向に引き抜こうとする際に、弾性変位する前の状態に復帰しようとする復元力により、凸部２３に対して爪部３３が係止される状態に復帰する。
【０１５９】
連結部３４Ｅは、バンド部２０の厚み方向に可撓性を有する厚み及び幅に形成している。連結部３４Ｅの長手方向Ｌの一端はバンド固定部３０Ｂに連結し、長手方向Ｌの他端は長手方向Ｌに延出してバンド固定部３０Ａに連結している。
【０１６０】
連結部３４Ｅの長手方向Ｌの長さＬ１は、バンド固定部３０Ｂの幅Ｗ１、及びバンド固定部３０Ｂの高さＴ１より長くなるように形成している（図２０（ａ）、図２１参照）。  
すなわち、連結部３４Ｅの長さＬ１が、バンド固定部３０Ｂの幅Ｗ１及び高さＴ１より長いため、バンド固定部３０ＡをワイヤハーネスＷＨの外周面から離間される方向に向けて変位させる際に、ハンド固定部３０Ｂに当接したり、あるいは、接触したりすることなく、連結部３４Ｅを厚み方向に屈曲することができる。  
これにより、バンド固定部３０Ａを、図２３中の実線で示す下向き可撓状態と、同図中の二点鎖線で示す上向き可撓状態とに変位させることができる。
【０１６１】
また、連結部３４Ｅは、バンド部２０の幅方向Ｓの中央部を通る図示しない軸芯を中心として軸回りに捩じるか、幅方向Ｗに屈曲することができるため、バンド固定部３０Ａを、連結部３４Ｅの軸芯を中心として軸回りに回転したり、幅方向Ｗに変位させたりすることができる。
【０１６２】
上述の結束バンド１０Ｅを、ワイヤハーネスＷＨにおける長手方向Ｌの所定位置に巻き付け固定する際の手順について説明する。  
図２２は結束バンド１０ＥをワイヤハーネスＷＨに巻き付けた状態の斜視図、図２３は図２２に示すワイヤハーネスＷＨに巻き付けた結束バンド１０Ｅの側面図である。
【０１６３】
先ず、結束バンド１０Ｅにおけるバンド部２０の基端側をワイヤハーネスＷＨの外周面に押し付けた後、バンド部２０をワイヤハーネスＷＨの外周面に沿って周方向に巻き付ける。ワイヤハーネスＷＨに巻き付けられた一巻目のバンド部２０をバンド固定部３０Ｂの挿通孔３１に対して挿通始端側から挿通して固定する。
【０１６４】
続いて、バンド固定部３０Ｂの挿通孔３１から引き出した二巻目のバンド部２０を、先に巻き付けられた一巻目のバンド部２０に巻き重ねながらワイヤハーネスＷＨの外周面に沿って周方向に巻き付ける。
【０１６５】
二巻目のバンド部２０をバンド固定部３０Ａの挿通孔３１に挿通する際に、連結部３４Ｅを上方へ屈曲して、バンド固定部３０ＡをワイヤハーネスＷＨの外周面から離間される方向に向けて変位させてから、二巻目のバンド部２０をバンド固定部３０Ａの挿通孔３１に対して挿通始端側から挿通して固定する（図２３の二点鎖線参照）。
【０１６６】
バンド固定部３０Ａの挿通孔３１から引き出した二巻目のバンド部２０を挿通方向Ｎに引っ張って締め込むほど、一巻目のバンド部２０がワイヤハーネスＷＨの外周面に対してさらに強く巻き付けられるため、一巻目のバンド部２０をワイヤハーネスＷＨの外周面に対して密着させた状態により強固に巻き付けることができる。
【０１６７】
これにより、結束バンド１０Ｅを、ワイヤハーネスＷＨにおける長手方向Ｌの所定位置に対して巻き付けた状態を維持するのに必要な接触抵抗が安定して得られるとともに、ワイヤハーネスＷＨを十分に締めつけることができる。
【０１６８】
この結果、ワイヤハーネスＷＨを結束バンド１０Ｅにて確実に巻き締めすることができるとともに、結束バンド１０ＥをワイヤハーネスＷＨにおける長手方向Ｌの所定位置に対して確実に巻き付け固定することができる。
【０１６９】
しかも、ワイヤハーネスＷＨに巻き付けられたバンド部２０に緩みが生じにくく、結束バンド１０Ｅの巻き付け位置がワイヤハーネスＷＨの周方向や長手方向Ｌに変位することを確実に防止できる。
【０１７０】
さらに、バンド固定部３０Ａとバンド固定部３０Ｂとを所定間隔に隔てたまま連結部３４Ｅで連結しているため、バンド部２０をワイヤハーネスＷＨの外周面に巻き付けたまま、バンド固定部３０ＡをワイヤハーネスＷＨの外周面から離間される方向に向けて変位させることができるとともに、挿通孔３１の挿通始端側をワイヤハーネスＷＨの外周面に対して対向が回避される方向に向けることができる。
【０１７１】
これにより、ワイヤハーネスＷＨに巻き付けられた二巻目のバンド部２０を、バンド固定部３０Ａの挿通孔３１に対して挿通始端側から確実、かつスムースに挿通して固定することができる。  
バンド部２０を挿通する際に、バンド部２０に緩みが生じたり、結束バンド１０Ｅの巻き付け位置が変位したりすることを防止できるため、結束バンド１０ＥをワイヤハーネスＷＨにおける長手方向Ｌの所定位置に対して確実に巻き付け固定することができる。
【０１７２】
さらにまた、ワイヤハーネスＷＨに巻き付けられた一巻目、及び二巻目のバンド部２０を、バンド固定部３０Ａ，３０Ｂの挿通孔３１に挿通して固定するため、一巻目、及び二巻目のバンド部２０に緩みが生じにくく、ワイヤハーネスＷＨに巻き付けられた所定位置にてそれぞれ巻き付け固定することができる。  
なお、上述の結束バンド１０Ｅを巻き付けたワイヤハーネスＷＨは、図２３中の二点鎖線で示すバンド止め具４０を用いて、車体パネルの所望する部分に配索することができる。
【０１７３】
また、上述の結束バンド１０Ｅは、２本のワイヤハーネスＷＨを１つに束ねた状態に結束する際にも用いることができる。  
図２４は結束バンド１０Ｅを２本のワイヤハーネスＷＨに巻き付けた状態の斜視図、図２５は図２４に示すワイヤハーネスＷＨに巻き付けた結束バンド１０Ｅの側面図である。
【０１７４】
１本目のワイヤハーネスＷＨに巻き付けられた一巻目のバンド部２０をバンド固定部３０Ｂの挿通孔３１に対して挿通始端側から挿通して固定した後、バンド固定部３０Ｂの挿通孔３１から引き出した二巻目のバンド部２０を一巻目のバンド部２０に対して幅方向Ｗに所定距離ずらして、一巻目のバンド部２０に沿って１本目のワイヤハーネスＷＨに巻き付ける。
【０１７５】
２本目のワイヤハーネスＷＨを１本目のワイヤハーネスＷＨに沿わせて配置した後、１本目のワイヤハーネスＷＨに巻き付けた二巻目のバンド部２０を、２本目のワイヤハーネスＷＨに対して掛け渡すように下方から巻き付けるとともに、バンド固定部３０Ａの挿通孔３１に対して挿通始端側から挿通して固定する。
【０１７６】
二巻目のバンド部２０をバンド固定部３０Ａの挿通孔３１に挿通する際に、連結部３４Ｅを上方へ屈曲して、バンド固定部３０ＡをワイヤハーネスＷＨの外周面から離間させることにより、二巻目のバンド部２０を、バンド固定部３０Ａの挿通孔３１に対して挿通始端側からスムースに挿通して固定することができる（図２５の二点鎖線参照）。
【０１７７】
これにより、結束バンド１０ＥをワイヤハーネスＷＨにおける長手方向Ｌの所定位置に対して確実に巻き付け固定することができるとともに、２本のワイヤハーネスＷＨを１つに束ねた状態に結束することができる。
【０１７８】
（実施例６）  
実施例５ではバンド固定部３０Ａ，３０Ｂを直列に配置した例について説明したが、実施例６では、図２６〜図２９に示すように、バンド固定部３０Ａを長手方向Ｌと交差する方向に所定距離ずらして配置した結束バンド１０Ｆについて説明する。
【０１７９】
図２６はバンド固定部３０Ａを長手方向Ｌと交差する方向に所定距離ずらして配置した実施例６の結束バンド１０Ｆの斜視図、図２７は図２６に示す結束バンド１０Ｆの正面図、及び背面図であり、詳しくは、図２７（ａ）は図２６に示す結束バンド１０Ｆの正面図、図２７（ｂ）は図２６に示す結束バンド１０Ｆの背面図である。
【０１８０】
実施例６の結束バンド１０Ｆは、ワイヤハーネスＷＨの外周面に巻き付けられるバンド部２０と、バンド部２０の長手方向Ｌの基端に対して、長手方向Ｌと斜めに交差する方向に所定距離ずらして配置したバンド固定部３０Ａと、バンド部２０の長手方向Ｌの基端に対して直列に配置したバンド固定部３０Ｂと、バンド固定部３０Ａとバンド固定部３０Ｂとを連結する可撓性を有する連結部３４Ｆとを備えている。
【０１８１】
バンド部２０は、バンド固定部３０Ａ，３０Ｂの挿通孔３１に挿通される先端側に、先端側に向けて徐々に幅狭となり、先端側に向けて徐々に肉厚が薄くなる先端部２０ａを形成している。  
バンド部２０におけるワイヤハーネスＷＨの外周面に巻き付けられる方の片面２１には、幅方向Ｗから見て略鋸刃状の係止部２２をバンド部２０の片面２１に沿って長手方向Ｌに形成している（図２６、図２７参照）。
【０１８２】
係止部２２は、後述する係止片３２の爪部３３が係止される凸部２３を、バンド部２０の片面２１に沿って長手方向Ｌに多数配列して構成している。  
凸部２３におけるバンド部２０の先端部２０ａ側と対応する部分は、バンド部２０の先端部２０ａ側から基端側に向けて徐々に高くなるように傾斜している。  
凸部２３におけるバンド部２０の基端側と対応する部分は、バンド部２０の長手方向Ｌと直交する厚み方向に向けて略垂直に形成している。
【０１８３】
バンド固定部３０Ａ，３０Ｂは、バンド部２０の挿通方向Ｎが同一のバンド固定部であり、バンド固定部３０Ａ，３０Ｂの端部同士を後述する連結部３４Ｆで連結している（図２６、図２７参照）。
【０１８４】
バンド固定部３０Ａは、バンド部２０の長手方向Ｌの基端から長手方向Ｌに所定距離を隔てて配置するととともに、バンド部２０の長手方向Ｌの基端に対して、長手方向Ｌと斜めに交差する方向に所定距離ずらして配置している。バンド固定部３０Ｂは、バンド部２０の長手方向Ｌの基端に対して直列に配置している。
【０１８５】
バンド固定部３０Ａ，３０Ｂにおける平面から見て中央部には、バンド部２０が挿通される正面視略矩形の挿通孔３１を挿通方向Ｎに貫通して開口している。挿通孔３１は、バンド部２０を挿通する挿通方向Ｎから見て、バンド部２０が挿通される大きさ、及び形状に形成している。
【０１８６】
挿通孔３１の内部には、バンド部２０を挿通孔３１に挿通した状態において、バンド部２０の片面２１に形成した係止部２２に対して係止される係止片３２を設けている。係止片３２は、挿通孔３１における挿通方向Ｎの手前側下縁部から挿通方向Ｎに向けて延びるように形成している。
【０１８７】
係止片３２におけるバンド部２０の係止部２２に係止される部分には、係止部２２の凸部２３に対して爪部３３を挿通方向Ｎに複数配列している。爪部３３は、係止部２２の凸部２３に対して挿通方向Ｎと逆向きに係止される大きさ、及び形状に形成している。
【０１８８】
係止片３２は、バンド部２０を挿通孔３１に対して挿通方向Ｎに挿通する際に、係止部２２の凸部２３を係止片３２の爪部３３に当接することにより、凸部２３に対して爪部３３の係止が解除される方向に弾性変位する。
【０１８９】
バンド部２０を挿通孔３１から挿通方向Ｎと逆方向に引き抜こうとする際に、弾性変位する前の状態に復帰しようとする復元力により、凸部２３に対して爪部３３が係止される状態に復帰する。
【０１９０】
連結部３４Ｆは、バンド部２０の厚み方向に可撓性を有する厚み及び幅に形成している。連結部３４Ｆの長手方向Ｌの一端はバンド固定部３０Ｂに連結し、長手方向Ｌの他端は長手方向Ｌの基端に対して斜めに交差（具体的には略４５度）する方向に延出して、正面から見て左側斜め上方に配置したバンド固定部３０Ａに連結している（図２７（ａ）参照）。
【０１９１】
連結部３４Ｆの長手方向Ｌの長さＬ１は、バンド固定部３０Ｂの幅Ｗ１、及びバンド固定部３０Ｂの高さＴ１より長くなるように形成している（図２７、図２８参照）。  
すなわち、連結部３４Ｆの長さＬ１が、バンド固定部３０Ｂの幅Ｗ１及び高さＴ１より長いため、バンド固定部３０ＡをワイヤハーネスＷＨの外周面から離間される方向に向けて変位させる際に、ハンド固定部３０Ｂに当接したり、あるいは、接触したりすることなく、連結部３４Ｆを厚み方向に屈曲することができる。
【０１９２】
また、連結部３４Ｆは、バンド部２０の幅方向Ｓの中央部を通る図示しない軸芯を中心として軸回りに捩じるか、幅方向Ｗに屈曲することができるため、バンド固定部３０Ａを、連結部３４Ｆの軸芯を中心として軸回りに回転したり、幅方向Ｗに変位させたりすることができる。
【０１９３】
上述の結束バンド１０ＦをワイヤハーネスＷＨに巻き付け固定する際の手順について説明する。  
図２８は結束バンド１０ＦをワイヤハーネスＷＨに巻き付けた状態の斜視図である。
【０１９４】
先ず、ワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を一巻目のバンド部２０に対して幅方向Ｗに所定距離ずらして、一巻目のバンド部２０に沿ってワイヤハーネスＷＨに巻き付けるとともに、バンド固定部３０Ａ，３０Ｂ同士を連結する連結部３４Ｆに巻き重ねる。
【０１９５】
連結部３４Ｆに巻き重ねられた三巻目のバンド部２０を二巻目のバンド部２０に対して幅方向Ｗに所定距離ずらして、二巻目のバンド部２０に沿ってワイヤハーネスＷＨに巻き付けるとともに、バンド固定部３０Ａの挿通孔３１に挿通して固定する。
【０１９６】
バンド固定部３０Ａの挿通孔３１から引き出した三巻目のバンド部２０を挿通方向Ｎに引っ張って締め込むほど、連結部３４ＦがワイヤハーネスＷＨの外周面に対してさらに強く押し付けられるため、ワイヤハーネスＷＨに巻き付けられたバンド部２０に緩みが生じたり、結束バンド１０Ｆの巻き付け位置が変位したりすることをより確実に防止できる。
【０１９７】
この結果、ワイヤハーネスＷＨを結束バンド１０Ｆにより確実に巻き締めすることができるとともに、結束バンド１０ＦがワイヤハーネスＷＨにおける長手方向Ｌの所定位置に巻き付けられた状態をより確実に保つことができる。
【０１９８】
しかも、結束バンド１０Ｆのバンド部２０をバンド固定部３０Ａの挿通孔３１に挿通する際に、連結部３４Ｆを上方へ屈曲して、バンド固定部３０ＡをワイヤハーネスＷＨの外周面から離間させるため、バンド固定部３０Ａの挿通孔３１に対して挿通始端側からスムースに挿通して固定することができる。
【０１９９】
また、上述の結束バンド１０Ｆは、連結部３４Ｆに巻き重ねることなくワイヤハーネスＷＨに巻き付けることもできる。  
図２９は結束バンド１０Ｆのバンド部２０を連結部３４Ｆに巻き重ねた状態の斜視図である。
【０２００】
ワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を一巻目のバンド部２０に対して幅方向Ｗに所定距離ずらして、一巻目のバンド部２０に沿ってワイヤハーネスＷＨに巻き付けるとともに、バンド固定部３０Ａの挿通孔３１に挿通して固定する。
【０２０１】
二巻目のバンド部２０をバンド固定部３０Ａの挿通孔３１に挿通する際に、連結部３４Ｆを上方へ屈曲して、バンド固定部３０ＡをワイヤハーネスＷＨの外周面から離間させるため、バンド固定部３０Ａの挿通孔３１に対して挿通始端側からスムースに挿通して固定することができる。
【０２０２】
これにより、結束バンド１０ＥをワイヤハーネスＷＨにおける長手方向Ｌの所定位置に対して確実に巻き付け固定することができるとともに、２本のワイヤハーネスＷＨを１つに束ねた状態に結束することができる。
【０２０３】
また、上述の結束バンド１０Ｆは、２本のワイヤハーネスＷＨを１つに束ねた状態に結束する際にも用いることができる。  
図３０は結束バンド１０Ｆを２本のワイヤハーネスＷＨに巻き付けた状態の斜視図である。
【０２０４】
１本目のワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を、一巻目のバンド部２０に対して幅方向Ｗに所定距離ずらして、一巻目のバンド部２０に沿って１本目のワイヤハーネスＷＨに巻き付ける。
【０２０５】
１本目のワイヤハーネスＷＨに巻き付けられた二巻目のバンド部２０を、１本目のワイヤハーネスＷＨに沿わせて配置した２本目のワイヤハーネスＷＨに対して下方から掛け渡すように巻き付けるとともに、二巻目のバンド部２０をバンド固定部３０Ａの挿通孔３１に挿通して固定する。
【０２０６】
これにより、結束バンド１０ＦをワイヤハーネスＷＨにおける長手方向Ｌの所定位置に対して確実に巻き付け固定することができるとともに、２本のワイヤハーネスＷＨを１つに束ねた状態に結束することができる。
【０２０７】
また、実施例６の結束バンド１０Ｆにおいて、バンド固定部３０Ａを長手方向Ｌと交差する方向に所定距離ずらして配置した以外の構成は実施例５と略同一であるため、実施例５に加えた作用、及び効果を奏することができる。
【０２０８】
（実施例７）  
実施例６ではバンド固定部３０Ａを長手方向Ｌと交差する方向に所定距離ずらして配置した例について説明したが、実施例７では、図３１〜図３３に示すように、バンド固定部３０Ａ，３０ＢをＬ字に配置した結束バンド１０Ｇについて説明する。
【０２０９】
図３１はバンド固定部３０Ａ，３０ＢをＬ字に配置した実施例７の結束バンド１０Ｇの正面図、及び背面図であり、詳しくは、図３１（ａ）は結束バンド１０Ｇの正面図、図３１（ｂ）は結束バンド１０Ｇの背面図である。
【０２１０】
実施例７の結束バンド１０Ｇは、ワイヤハーネスＷＨの外周面に巻き付けられるバンド部２０と、バンド部２０の長手方向Ｌの基端に対して、長手方向Ｌと直交する方向に所定距離ずらして配置したバンド固定部３０Ａと、バンド部２０の長手方向Ｌの基端に対して直列に配置したバンド固定部３０Ｂと、バンド固定部３０Ａとバンド固定部３０Ｂとを連結する可撓性を有する連結部３４Ｇとを備えている。
【０２１１】
バンド部２０は、バンド固定部３０Ａ，３０Ｂの挿通孔３１に挿通される先端側に、先端側に向けて徐々に幅狭となり、先端側に向けて徐々に肉厚が薄くなる先端部２０ａを形成している。  
バンド部２０におけるワイヤハーネスＷＨの外周面に巻き付けられる方の片面２１には、幅方向Ｗから見て略鋸刃状の係止部２２をバンド部２０の片面２１に沿って長手方向Ｌに形成している（図３１参照）。
【０２１２】
係止部２２は、後述する係止片３２の爪部３３が係止される凸部２３を、バンド部２０の片面２１に沿って長手方向Ｌに多数配列して構成している。  
凸部２３におけるバンド部２０の先端部２０ａ側と対応する部分は、バンド部２０の先端部２０ａ側から基端側に向けて徐々に高くなるように傾斜している。  
凸部２３におけるバンド部２０の基端側と対応する部分は、バンド部２０の長手方向Ｌと直交する厚み方向に向けて略垂直に形成している。
【０２１３】
バンド固定部３０Ａ，３０Ｂは、バンド部２０の挿通方向Ｎが同一のバンド固定部であり、バンド固定部３０Ａ，３０Ｂの端部同士を後述する連結部３４Ｇで連結している（図３１参照）。  
バンド固定部３０Ａは、バンド部２０の長手方向Ｌの基端から所定距離を隔てて配置され、バンド部２０の長手方向Ｌの基端に対して、長手方向Ｌと直交する方向に所定距離ずらして配置している。バンド固定部３０Ｂは、バンド部２０の長手方向Ｌの基端に対して直列に配置している。
【０２１４】
バンド固定部３０Ａ，３０Ｂにおける平面から見て中央部には、バンド部２０が挿通される正面視略矩形の挿通孔３１を挿通方向Ｎに貫通して開口している。挿通孔３１は、バンド部２０を挿通する挿通方向Ｎから見て、バンド部２０が挿通される大きさ、及び形状に形成している。
【０２１５】
挿通孔３１の内部には、バンド部２０を挿通孔３１に挿通した状態において、バンド部２０の片面２１に形成した係止部２２に対して係止される係止片３２を設けている。係止片３２は、挿通孔３１における挿通方向Ｎの手前側下縁部から挿通方向Ｎに向けて延びるように形成している。
【０２１６】
係止片３２におけるバンド部２０の係止部２２に係止される部分には、係止部２２の凸部２３に対して爪部３３を挿通方向Ｎに複数配列している。爪部３３は、係止部２２の凸部２３に対して挿通方向Ｎと逆向きに係止される大きさ、及び形状に形成している。
【０２１７】
係止片３２は、バンド部２０を挿通孔３１に対して挿通方向Ｎに挿通する際に、係止部２２の凸部２３を係止片３２の爪部３３に当接することにより、凸部２３に対して爪部３３の係止が解除され方向に弾性変位する。
【０２１８】
バンド部２０を挿通孔３１から挿通方向Ｎと逆方向に引き抜こうとする際に、弾性変位する前の状態に復帰しようとする復元力により、凸部２３に対して爪部３３が係止される状態に復帰する。
【０２１９】
連結部３４Ｇは、バンド部２０の厚み方向に可撓性を有しており、長手方向Ｌの一端をバンド固定部３０Ｂに連結している。長手方向Ｌの他端を長手方向Ｌと直交する方向（具体的には正面から見て左方向）に略直角に屈曲して、正面から見て左側に配置したバンド固定部３０Ａに連結している（図３１（ａ）参照）。
【０２２０】
連結部３４Ｇの長手方向Ｌの長さＬ１は、バンド固定部３０Ｂの幅Ｗ１、及びバンド固定部３０Ｂの高さＴ１より長くなるように形成している（図３１、図３２参照）。  
すなわち、連結部３４Ｇの長さＬ１が、バンド固定部３０Ｂの幅Ｗ１及び高さＴ１より長いため、バンド固定部３０ＡをワイヤハーネスＷＨの外周面から離間される方向に向けて変位させる際に、ハンド固定部３０Ｂに当接したり、あるいは、接触したりすることなく、連結部３４Ｇを厚み方向に屈曲することができる。
【０２２１】
また、連結部３４Ｇは、バンド部２０の幅方向Ｓの中央部を通る図示しない軸芯を中心として軸回りに捩じるか、幅方向Ｗに屈曲することができるため、バンド固定部３０Ａを、連結部３４Ｇの軸芯を中心として軸回りに回転したり、幅方向Ｗに変位させたりすることができる。
【０２２２】
上述の結束バンド１０ＧをワイヤハーネスＷＨに巻き付け固定する際の手順について説明する。  
図３２は結束バンド１０ＧをワイヤハーネスＷＨに巻き付けた状態の斜視図である。
【０２２３】
先ず、ワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を一巻目のバンド部２０に対して幅方向Ｗに所定距離ずらして、一巻目のバンド部２０に沿ってワイヤハーネスＷＨに巻き付けるとともに、バンド固定部３０Ａ，３０Ｂ同士を連結する連結部３４Ｇに巻き重ねる。
【０２２４】
連結部３４Ｇに巻き重ねられた三巻目のバンド部２０を、二巻目のバンド部２０に対して幅方向Ｗに所定距離ずらして、二巻目のバンド部２０に沿ってワイヤハーネスＷＨに巻き付けるとともに、バンド固定部３０Ａの挿通孔３１に挿通して固定する。
【０２２５】
つまり、バンド固定部３０Ａの挿通孔３１から引き出した三巻目のバンド部２０を挿通方向Ｎに引っ張って締め込むほど、連結部３４ＧがワイヤハーネスＷＨの外周面に対してさらに強く押し付けられるため、バンド部２０に緩みが生じたり、結束バンド１０Ｇの巻き付け位置が変位したりすることをより確実に防止できる。
【０２２６】
この結果、ワイヤハーネスＷＨを結束バンド１０Ｇにより確実に巻き締めすることができるとともに、結束バンド１０ＧがワイヤハーネスＷＨにおける長手方向Ｌの所定位置に巻き付けられた状態をより確実に保つことができる。
【０２２７】
しかも、結束バンド１０Ｇのバンド部２０をバンド固定部３０Ａの挿通孔３１に挿通する際に、連結部３４Ｇを上方へ屈曲して、バンド固定部３０ＡをワイヤハーネスＷＨの外周面から離間させるため、バンド固定部３０Ａの挿通孔３１に対して挿通始端側からスムースに挿通して固定することができる。
【０２２８】
上述の結束バンド１０Ｇは、２本のワイヤハーネスＷＨを１つに束ねた状態に結束する際にも用いることができる。  
図３３は結束バンド１０Ｇを２本のワイヤハーネスＷＨに巻き付けた状態の斜視図である。
【０２２９】
１本目のワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を、先に巻き付けられた一巻目のバンド部２０に対して幅方向Ｗに所定距離ずらして、一巻目のバンド部２０に沿って１本目のワイヤハーネスＷＨに巻き付けるとともに、バンド固定部３０Ａ，３０Ｂ同士を連結する連結部３４Ｇに巻き重ねる。
【０２３０】
連結部３４Ｇに巻き重ねられた三巻目のバンド部２０を、二巻目のバンド部２０に対して幅方向Ｗに所定距離ずらして、二巻目のバンド部２０に沿って１本目のワイヤハーネスＷＨに巻き付ける。さらに１本目のワイヤハーネスＷＨに沿わせて配置した２本目のワイヤハーネスＷＨに対して掛け渡すように下方から巻き付けるとともに、二巻目のバンド部２０をバンド固定部３０Ａの挿通孔３１に挿通して固定する。
【０２３１】
これにより、結束バンド１０ＧをワイヤハーネスＷＨにおける長手方向Ｌの所定位置に対して確実に巻き付け固定することができるとともに、２本のワイヤハーネスＷＨを１つに束ねた状態に結束することができる。
【０２３２】
また、実施例７の結束バンド１０Ｇにおいて、バンド固定部３０Ａ，３０ＢをＬ字に配置した以外の構成は実施例６と略同一であるため、実施例６に加えた作用、及び効果を奏することができる。
【０２３３】
（実施例８）  
実施例５ではバンド固定部３０Ａ，３０Ｂを直列に配置した例について、また、実施例６，７ではバンド固定部３０Ａを長手方向Ｌと交差する方向に所定距離ずらして配置した例について説明したが、実施例８では、図３４、図３５に示すように、バンド固定部３０Ａ，３０Ｂを並列に配置した結束バンド１０Ｈについて説明する。
【０２３４】
図３４はバンド固定部３０Ａ，３０Ｂを並列に配置した実施例８の結束バンド１０Ｈの正面図、及び背面図であり、詳しくは、図３４（ａ）は結束バンド１０Ｈの正面図、図３４（ｂ）は結束バンド１０Ｈの背面図である。
【０２３５】
実施例８の結束バンド１０Ｈは、ワイヤハーネスＷＨの外周面に巻き付けられるバンド部２０と、バンド部２０の長手方向Ｌの基端に対して、長手方向Ｌと直交する方向に所定距離ずらして配置したバンド固定部３０Ａと、バンド部２０の長手方向Ｌの基端に対して直列に配置したバンド固定部３０Ｂと、バンド固定部３０Ａとバンド固定部３０Ｂとを連結する可撓性を有する連結部３４Ｈとを備えている。
【０２３６】
バンド部２０は、バンド固定部３０Ａ，３０Ｂの挿通孔３１に挿通される先端側に、先端側に向けて徐々に幅狭となり、先端側に向けて徐々に肉厚が薄くなる先端部２０ａを形成している。  
バンド部２０におけるワイヤハーネスＷＨの外周面に巻き付けられる方の片面２１には、幅方向Ｗから見て略鋸刃状の係止部２２をバンド部２０の片面２１に沿って長手方向Ｌに形成している（図３４参照）。
【０２３７】
係止部２２は、後述する係止片３２の爪部３３が係止される凸部２３を、バンド部２０の片面２１に沿って長手方向Ｌに多数配列して構成している。  
凸部２３におけるバンド部２０の先端部２０ａ側と対応する部分は、バンド部２０の先端部２０ａ側から基端側に向けて徐々に高くなるように傾斜している。  
凸部２３におけるバンド部２０の基端側と対応する部分は、バンド部２０の長手方向Ｌと直交する厚み方向に向けて略垂直に形成している。
【０２３８】
バンド固定部３０Ａ，３０Ｂは、バンド部２０の挿通方向Ｎが同一のバンド固定部であり、バンド固定部３０Ａ，３０Ｂの端部同士を後述する連結部３４Ｈで連結している（図３４参照）。  
バンド固定部３０Ａは、バンド部２０の長手方向Ｌの基端から所定距離を隔てて配置しており、バンド部２０の長手方向Ｌの基端に対して、長手方向Ｌと直交する方向に所定距離ずらして配置している。バンド固定部３０Ｂは、バンド部２０の長手方向Ｌの基端に対して直列に配置している。
【０２３９】
バンド固定部３０Ａ，３０Ｂにおける平面から見て中央部には、バンド部２０が挿通される正面視略矩形の挿通孔３１を挿通方向Ｎに貫通して開口している。挿通孔３１は、バンド部２０を挿通する挿通方向Ｎから見て、バンド部２０が挿通される大きさ、及び形状に形成している。
【０２４０】
挿通孔３１の内部には、バンド部２０を挿通孔３１に挿通した状態において、バンド部２０の片面２１に形成した係止部２２に対して係止される係止片３２を設けている。係止片３２は、挿通孔３１における挿通方向Ｎの手前側下縁部から挿通方向Ｎに向けて延びるように形成している。
【０２４１】
係止片３２におけるバンド部２０の係止部２２に係止される部分には、係止部２２の凸部２３に対して爪部３３を挿通方向Ｎに複数配列している。爪部３３は、係止部２２の凸部２３に対して挿通方向Ｎと逆向きに係止される大きさ、及び形状に形成している。
【０２４２】
係止片３２は、バンド部２０を挿通孔３１に対して挿通方向Ｎに挿通する際に、係止部２２の凸部２３を係止片３２の爪部３３に当接することにより、凸部２３に対して爪部３３の係止が解除され方向に弾性変位する。
【０２４３】
バンド部２０を挿通孔３１から挿通方向Ｎと逆方向に引き抜こうとする際に、弾性変位する前の状態に復帰しようとする復元力により、凸部２３に対して爪部３３が係止される状態に復帰する。
【０２４４】
連結部３４Ｈは、バンド部２０の厚み方向に可撓性を有しており、長手方向Ｌの一端をバンド固定部３０Ｂに連結している。長手方向Ｌの他端を長手方向Ｌと直交する幅方向Ｗに延ばして、正面から見て左側に配置したバンド固定部３０Ａに連結している。これにより、バンド固定部３０Ａ，３０Ｂ同士をバンド部２０の長手方向Ｌと直交して並列に配置している（図３４（ａ）参照）。
【０２４５】
連結部３４Ｈの長手方向Ｌの長さＬ１は、バンド固定部３０Ｂの幅Ｗ１、及びバンド固定部３０Ｂの高さＴ１より長くなるように形成している（図３４、図３５参照）。  
すなわち、連結部３４Ｈの長さＬ１が、バンド固定部３０Ｂの幅Ｗ１及び高さＴ１より長いため、バンド固定部３０ＡをワイヤハーネスＷＨの外周面から離間される方向に向けて変位させる際に、ハンド固定部３０Ｂに当接したり、あるいは、接触したりすることなく、連結部３４Ｈを厚み方向に屈曲することができる。
【０２４６】
また、連結部３４Ｈは、バンド部２０の幅方向Ｓの中央部を通る図示しない軸芯を中心として軸回りに捩じるか、幅方向Ｗに屈曲することができるため、バンド固定部３０Ａを、連結部３４Ｈの軸芯を中心として軸回りに回転したり、幅方向Ｗに変位させることができる。
【０２４７】
上述の結束バンド１０ＨをワイヤハーネスＷＨに巻き付け固定する際の手順について説明する。  
図３５は結束バンド１０ＨをワイヤハーネスＷＨに巻き付けた状態の斜視図である。
【０２４８】
先ず、ワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を一巻目のバンド部２０に対して幅方向Ｗに所定距離ずらして、一巻目のバンド部２０に沿ってワイヤハーネスＷＨに巻き付けるとともに、バンド固定部３０Ａ，３０Ｂ同士を連結する連結部３４Ｈに巻き重ねる。
【０２４９】
連結部３４Ｈに巻き重ねられた三巻目のバンド部２０を、二巻目のバンド部２０に対して幅方向Ｗに所定距離ずらして、二巻目のバンド部２０に沿ってワイヤハーネスＷＨに巻き付けるとともに、バンド固定部３０Ａの挿通孔３１に挿通して固定する。
【０２５０】
つまり、バンド固定部３０Ａの挿通孔３１から引き出した三巻目のバンド部２０を挿通方向Ｎに引っ張って締め込むほど、連結部３４ＨがワイヤハーネスＷＨの外周面に対してさらに強く押し付けられるとともに、バンド固定部３０Ａが連結部３４Ｈと同一線上の外周面に押し付けられるため、バンド部２０に緩みが生じたり、結束バンド１０Ｈの巻き付け位置が変位したりすることをより確実に防止できる。
【０２５１】
この結果、ワイヤハーネスＷＨを結束バンド１０Ｈにより確実に巻き締めすることができるとともに、結束バンド１０ＨがワイヤハーネスＷＨにおける長手方向Ｌの所定位置に巻き付けられた状態をより確実に保つことができる。
【０２５２】
しかも、結束バンド１０Ｈのバンド部２０をバンド固定部３０Ａの挿通孔３１に挿通する際に、連結部３４Ｈを上方へ屈曲して、バンド固定部３０ＡをワイヤハーネスＷＨの外周面から離間させるため、バンド固定部３０Ａの挿通孔３１に対して挿通始端側からスムースに挿通して固定することができる。
【０２５３】
上述の結束バンド１０Ｈは、２本のワイヤハーネスＷＨを１つに束ねた状態に結束する際にも用いることができる。  
図３６は結束バンド１０Ｈを２本のワイヤハーネスＷＨに巻き付けた状態の斜視図である。
【０２５４】
１本目のワイヤハーネスＷＨに巻き付けられた一巻目のバンド部２０をバンド固定部３０Ｂの挿通孔３１に挿通して固定した後、バンド固定部３０Ｂの挿通孔３１から引き出した二巻目のバンド部２０を、先に巻き付けられた一巻目のバンド部２０に対して幅方向Ｗに所定距離ずらして、一巻目のバンド部２０に沿って１本目のワイヤハーネスＷＨに巻き付けるとともに、バンド固定部３０Ａ，３０Ｂ同士を連結する連結部３４Ｈに巻き重ねる。
【０２５５】
連結部３４Ｈに巻き重ねられた三巻目のバンド部２０を、二巻目のバンド部２０に対して幅方向Ｗに所定距離ずらして、二巻目のバンド部２０に沿って１本目のワイヤハーネスＷＨに巻き付ける。さらに１本目のワイヤハーネスＷＨに沿わせて配置した２本目のワイヤハーネスＷＨに対して掛け渡すように下方から巻き付けるとともに、二巻目のバンド部２０をバンド固定部３０Ａの挿通孔３１に挿通して固定する。
【０２５６】
これにより、結束バンド１０ＨをワイヤハーネスＷＨにおける長手方向Ｌの所定位置に対して確実に巻き付け固定することができるとともに、２本のワイヤハーネスＷＨを１つに束ねた状態に結束することができる。
【０２５７】
また、実施例８の結束バンド１０Ｈにおいて、バンド固定部３０Ａ，３０Ｂを並列に配置した以外の構成は実施例６，７と略同一であるため、実施例６，７に加えた作用、及び効果を奏することができる。
【０２５８】
この発明の構成と、前記実施形態との対応において、  
この発明の被結束物は、実施形態のワイヤハーネスＷＨに対応し、  
以下同様に、  
一方、及び第１バンド固定部は、バンド固定部３０Ａに対応し、  
他方、及び第２バンド固定部は、バンド固定部３０Ｂに対応するも、  
この発明は、上述の実施形態の構成のみに限定されるものではなく、請求項に示される技術思想に基づいて応用することができ、多くの実施の形態を得ることができる。
【０２５９】
実施例１〜８では、バンド固定部３０Ａを、バンド部２０の長手方向Ｌの基端に対して一側（正面から見て左側）に配置しているが、例えばバンド固定部３０Ａを、バンド部２０の長手方向Ｌの基端に対して他側（正面から見て右側）に配置してもよい。
【０２６０】
また、複数のバンド固定部、例えば第１、第２、及び第３のバンド固定部を、バンド部２０の長手方向Ｌの基端に対して幅方向Ｓの一端側（右側）から他端側（左側）に向けて順に配置するか、バンド部２０の長手方向Ｌに対して互い違いとなるように配置してもよい。
【０２６１】
さらにまた、実施例１〜８では、バンド止め具４０を用いて、ワイヤハーネスＷＨを配索する例を説明したが、結束バンド１０Ａ〜１０ＨをワイヤハーネスＷＨの外周面に巻き付け固定するだけであれば、バンド止め具４０が不要である。
【０２６２】
なお、実施例５〜８では、連結部３４Ｅ，３４Ｆ，３４Ｇ，３４Ｈの幅及び厚みを、バンド部２０の幅及び厚みと略同じ寸法に形成しているが、例えばバンド部２０の幅より広く、厚みより薄くなるように形成してもよい。  
また、バンド固定部３０Ａ，３０Ｂを挿通方向Ｎが同一となるように形成しているが、例えばバンド固定部３０Ａをバンド固定部３０Ｂに対して挿通方向Ｎが逆向きとなるように形成してもよい。
【符号の説明】
【０２６３】
Ｌ…長手方向
Ｗ…幅方向
Ｎ…挿通方向
ＷＨ…ワイヤハーネス
１０Ａ，１０Ｂ，１０Ｃ，１０Ｄ，１０Ｅ，１０Ｆ，１０Ｇ，１０Ｈ…結束バンド
２０…バンド部
２１…片面
２２…係止部
２３…凸部
３０Ａ，３０Ｂ…バンド固定部
３１…挿通孔
３２…係止片
３３…爪部
３４Ｅ，３４Ｆ，３４Ｇ，３４Ｈ…連結部
４０…バンド止め具
４１…本体部
４２…差込み部
【図１】
2017067285.tif 000003
【図２】
2017067285.tif 000004
【図３】
2017067285.tif 000005
【図４】
2017067285.tif 000006
【図５】
2017067285.tif 000007
【図６】
2017067285.tif 000008
【図７】
2017067285.tif 000009
【図８】
2017067285.tif 000010
【図９】
2017067285.tif 000011
【図１０】
2017067285.tif 000012
【図１１】
2017067285.tif 000013
【図１２】
2017067285.tif 000014
【図１３】
2017067285.tif 000015
【図１４】
2017067285.tif 000016
【図１５】
2017067285.tif 000017
【図１６】
2017067285.tif 000018
【図１７】
2017067285.tif 000019
【図１８】
2017067285.tif 000020
【図１９】
2017067285.tif 000021
【図２０】
2017067285.tif 000022
【図２１】
2017067285.tif 000023
【図２２】
2017067285.tif 000024
【図２３】
2017067285.tif 000025
【図２４】
2017067285.tif 000026
【図２５】
2017067285.tif 000027
【図２６】
2017067285.tif 000028
【図２７】
2017067285.tif 000029
【図２８】
2017067285.tif 000030
【図２９】
2017067285.tif 000031
【図３０】
2017067285.tif 000032
【図３１】
2017067285.tif 000033
【図３２】
2017067285.tif 000034
【図３３】
2017067285.tif 000035
【図３４】
2017067285.tif 000036
【図３５】
2017067285.tif 000037
【図３６】
2017067285.tif 000038